(57)【要約】  本発明は、カーペットまたは椅子張り類を清浄にするまたは衛生的にするための方法および組成物に関する。粉末、他の固体または集塊組成物は、活性酸素化合物、界面活性剤およびビルダーを含む。カーペットまたは椅子張り類を清浄にするまたは衛生的にする方法は、かかる固体（たとえば、粉末）もしくは集塊組成物またはこれらの組成物の一つの使用溶液をカーペットまたは椅子張り類に施用することを含む。【特許請求の範囲】
【請求項１】
カーペットまたは椅子張り類を清浄にする方法であって、固体または集塊状の清浄用組成物の水性調製物をカーペットまたは椅子張り類に施用することを含み、しかも該固体または集塊状の清浄用組成物が
約３０から約８０ｗｔ％の活性酸素化合物、
約１から約１５ｗｔ％の界面活性剤、および
約５から約６０ｗｔ％のビルダー
を含む方法。
【請求項２】
施用することが、カーペットまたは椅子張り類を吸引することを含む、請求項１に記載の方法。
【請求項３】
施用することが、清浄用組成物をカーペット上にブラッシングしてまたは擦って着けることを含む、請求項１に記載の方法。
【請求項４】
施用することが、カーペットまたは椅子張り類を予備染み抜きする、予備吹付けするもしくは吸引することまたはそれらの組合わせを含む、請求項１に記載の方法。
【請求項５】
清浄用組成物を、カーペットまたは椅子張り類の衛生化を達成するのに有効な濃度にてかつ継続時間施用することを含む、請求項１に記載の方法。
【請求項６】
カーペットから組成物の一部を除去することを更に含む、請求項１に記載の方法。
【請求項７】
方法が、カーペットまたは椅子張り類を予備染み抜きすることを省く、請求項１に記載の方法。
【請求項８】
方法が、カーペットまたは椅子張り類を予備吹付けすることを省く、請求項１に記載の方法。
【請求項９】
水性調製物が、約０．１から約１０ｗｔ％の、固体または集塊状の清浄用組成物および約７から約１１のｐＨを含む、請求項１に記載の方法。
【請求項１０】
水性調製物が、約９から約１０のｐＨを含む、請求項９に記載の方法。
【請求項１１】
水性調製物が、１０未満のｐＨを含む、請求項１０に記載の方法。
【請求項１２】
清浄用組成物が、
約５０から約６０ｗｔ％の活性酸素化合物、
約５から約１０ｗｔ％の界面活性剤、および
約２０から約２５ｗｔ％のビルダー
を含む、請求項１に記載の方法。
【請求項１３】
清浄用組成物が、約１５から約２０ｗｔ％のアルカリ度源を更に含む、請求項１２に記載の方法。
【請求項１４】
清浄用組成物が、
約５５ｗｔ％の活性酸素化合物、
約７ｗｔ％の界面活性剤、および
約２２ｗｔ％のビルダー
を含む、請求項１２に記載の方法。
【請求項１５】
清浄用組成物が、約１８ｗｔ％のアルカリ度源を更に含む、請求項１４に記載の方法。
【請求項１６】
ビルダーが、約５から約９５ｗｔ％のポリカルボン酸および約５から約９５ｗｔ％のアミノカルボキシレートを含む、請求項１に記載の方法。
【請求項１７】
ビルダーが、約４０から約９０ｗｔ％のポリカルボン酸および約１０から約４０ｗｔ％のアミノカルボキシレートを含む、請求項１６に記載の方法。
【請求項１８】
ビルダーが、約４０から約７０ｗｔ％のポリカルボン酸および約３０から約６０ｗｔ％のアミノカルボキシレートを含む、請求項１６に記載の方法。
【請求項１９】
ビルダーが、約６０ｗｔ％のポリカルボン酸および約４０ｗｔ％のアミノカルボキシレートを含む、請求項１８に記載の方法。
【請求項２０】
清浄用組成物が、活性酸素化合物として、無機活性酸素化合物、有機活性酸素化合物、またはそれらの混合物を含む、請求項１に記載の方法。
【請求項２１】
清浄用組成物が、界面活性剤として、非イオン性界面活性剤、両性界面活性剤、アニオン性界面活性剤、またはそれらの混合物を含む、請求項１に記載の方法。
【請求項２２】
清浄用組成物が、ビルダーとして、ホスホネート、ホスフェート、アミノカルボキシレート、ポリカルボキシレート、無機ビルダー、それらの塩、またはそれらの混合物を含む、請求項１に記載の方法。
【請求項２３】
ビルダーが、ニトリロトリ酢酸、エチレンジアミン四酢酸、それらの塩、またはそれらの混合物を含む、請求項２２に記載の方法。
【請求項２４】
ビルダーが、アミノカルボキシレートおよびモノマーポリカルボキシレートを含む、請求項２２に記載の方法。
【請求項２５】
ビルダーが、液体組成物中の活性酸素化合物を安定化するのに効果があるビルダーの混合物を含む、請求項２２に記載の方法。
【請求項２６】
固体または集塊状のカーペットまたは椅子張り類清浄用組成物であって、
約３０から約８０ｗｔ％の活性酸素化合物、
約１から約１５ｗｔ％の界面活性剤、および
約５から約６０ｗｔ％のビルダー
を含む組成物。
【請求項２７】
約５０から約６０ｗｔ％の活性酸素化合物、
約５から約１０ｗｔ％の界面活性剤、および
約２０から約２５ｗｔ％のビルダー
を含む、請求項２６に記載の組成物。
【請求項２８】
約１５から約２０ｗｔ％のアルカリ度源を更に含む、請求項２７に記載の組成物。
【請求項２９】
約５５ｗｔ％の活性酸素化合物、
約７ｗｔ％の界面活性剤、および
約５３ｗｔ％のビルダー
を含む、請求項２６に記載の組成物。
【請求項３０】
約１８ｗｔ％のアルカリ度源を更に含む、請求項２９に記載の組成物。
【請求項３１】
ビルダーが、約５から約９５ｗｔ％のポリカルボン酸および約５から約９５ｗｔ％のアミノカルボキシレートを含む、請求項２６に記載の組成物。
【請求項３２】
ビルダーが、約４０から約９０ｗｔ％のポリカルボン酸および約１０から約４０ｗｔ％のアミノカルボキシレートを含む、請求項３１に記載の組成物。
【請求項３３】
ビルダーが、約４０から約７０ｗｔ％のポリカルボン酸および約３０から約６０ｗｔ％のアミノカルボキシレートを含む、請求項３１に記載の組成物。
【請求項３４】
ビルダーが、約６０ｗｔ％のポリカルボン酸および約４０ｗｔ％のアミノカルボキシレートを含む、請求項３３に記載の組成物。
【請求項３５】
活性酸素化合物として、無機活性酸素化合物、有機活性酸素化合物、またはそれらの混合物を含む、請求項２６に記載の組成物。
【請求項３６】
活性酸素化合物が、無機活性酸素化合物を含む、請求項３５に記載の組成物。
【請求項３７】
無機活性酸素化合物が、過酸化水素付加物を含む、請求項３６に記載の組成物。
【請求項３８】
無機活性酸素化合物が、過炭酸塩、過ホウ酸塩、過硫酸塩、過リン酸塩、過ケイ酸塩、またはそれらの混合物を含む、請求項３６に記載の組成物。
【請求項３９】
活性酸素化合物が、有機活性酸素化合物を含む、請求項３５に記載の組成物。
【請求項４０】
界面活性剤として、非イオン性界面活性剤、両性界面活性剤、アニオン性界面活性剤、またはそれらの混合物を含む、請求項２６に記載の組成物。
【請求項４１】
非イオン性界面活性剤が、アルコールエトキシレート、アルコールプロポキシレート、アルコールエトキシレート−プロポキシレート、またはそれらの混合物を含む、請求項４０に記載の組成物。
【請求項４２】
非イオン性界面活性剤が、２０℃において固体、粉末またはペーストを含む、請求項４１に記載の組成物。
【請求項４３】
清浄用組成物が、ビルダーとして、ホスホネート、ホスフェート、アミノカルボキシレート、ポリカルボキシレート、無機ビルダー、それらの塩、またはそれらの混合物を含む、請求項２６に記載の組成物。
【請求項４４】
ホスホネートが、アミノトリ（メチレンホスホン酸）、１−ヒドロキシエチリデン−１，１−ジホスホン酸、ジエチレントリアミノペンタ（メチレンホスホン酸）、アラニン−Ｎ，Ｎ−ジ酢酸、ジエチレントリアミン五酢酸、それらの塩、またはそれらの混合物を含む、請求項４３に記載の組成物。
【請求項４５】
ホスフェートが、トリポリリン酸ナトリウム、トリポリリン酸カリウム、トリポリリン酸マグネシウム、ピロリン酸ナトリウム、ピロリン酸カリウム、ヘキサメタリン酸ナトリウム、ヘキサメタリン酸カリウムまたはそれらの混合物を含む、請求項４３に記載の組成物。
【請求項４６】
ビルダーが、ニトリロトリ酢酸、エチレンジアミン四酢酸、それらの塩、またはそれらの混合物を含む、請求項４３に記載の組成物。
【請求項４７】
ビルダーが、アミノカルボキシレートおよびモノマーポリカルボキシレートを含む、請求項４３に記載の組成物。
【請求項４８】
アミノカルボキシレートおよびポリカルボキシレートが、液体組成物中の活性酸素化合物を安定化するのに効果がある、請求項４７に記載の組成物。
【請求項４９】
アミノカルボキシレートが、ＥＤＴＡを含む、請求項４７に記載の組成物。
【請求項５０】
ポリカルボキシレートが、クエン酸またはその塩を含む、請求項４７に記載の組成物。
【請求項５１】
ビルダーが、液体組成物中の活性酸素化合物を安定化するのに効果があるビルダーの混合物を含む、請求項４３に記載の方法。
【請求項５２】
ビルダーが、縮合ホスフェート、ホスホネート、アミノカルボキシレート、ポリカルボキシレート、アルカリ金属炭酸塩、またはそれらの混合物を含む、請求項４３に記載の組成物。
【請求項５３】
ビルダーが、ゼオライト、クエン酸もしくはクエン酸塩タイプのキレート化剤、アルキルジアミンポリ酢酸タイプのキレート化剤、アクリル酸もしくはポリアクリル酸タイプの安定剤、ポリマーポリカルボキシレート、またはそれらの混合物を含む、請求項４３に記載の組成物。
【請求項５４】
アルカリ度源、酸度源、清浄性酵素、硬化剤、溶解性調節剤、洗剤用充填剤、消泡剤、抗微生物剤、沈殿閾剤もしくは系、美的向上剤、起泡剤、活性酸素化合物用の活性剤、またはそれらの組合わせを更に含む、請求項２６に記載の組成物。
【請求項５５】
非イオン性界面活性剤、ホスホネート、縮合ホスフェート、過酸化水素付加物、Ｃ１〜Ｃ６カルボン酸、アルカリ金属水素炭酸塩、アルカリ金属水素リン酸塩、アルカリ金属水素硫酸塩、またはそれらの組合わせを含む、請求項５４に記載の組成物。
【請求項５６】
非イオン性界面活性剤、アミノカルボキシレート、過酸化水素付加物、Ｃ１〜Ｃ６カルボン酸、アルカリ金属水素炭酸塩、アルカリ金属水素リン酸塩、アルカリ金属水素硫酸塩、またはそれらの組合わせを含む、請求項５４に記載の組成物。
【請求項５７】
固体または集塊状のカーペットまたは椅子張り類清浄用組成物であって、
約４０から約７０ｗｔ％の活性酸素化合物、
約５から約１５ｗｔ％の界面活性剤、および
約１０から約４０ｗｔ％のビルダー
を含む組成物。
【請求項５８】
固体または集塊状のカーペットまたは椅子張り類清浄用組成物であって、
約５０から約６０ｗｔ％の活性酸素化合物、
約５から約１０ｗｔ％の界面活性剤、および
約２０から約２５ｗｔ％のビルダー
を含む組成物。
【請求項５９】
約１５から約２０ｗｔ％のアルカリ度源を更に含む、請求項５８に記載の組成物。
【請求項６０】
固体または集塊状のカーペットまたは椅子張り類清浄用組成物であって、
約５５ｗｔ％の活性酸素化合物、
約７ｗｔ％の界面活性剤、および
約５３ｗｔ％のビルダー
を含む組成物。
【請求項６１】
約１８ｗｔ％のアルカリ度源を更に含む、請求項６０に記載の組成物。
【請求項６２】
固体または集塊状のカーペットまたは椅子張り類清浄用組成物であって、
約５から約６０ｗｔ％の活性酸素化合物、
約１０から約５０ｗｔ％のアルカリ度源、
約１から約１５ｗｔ％の界面活性剤、および
約１０から約５０ｗｔ％のビルダー
を含む組成物。
【請求項６３】
固体または集塊状のカーペットまたは椅子張り類清浄用組成物であって、
約２５から約５０ｗｔ％の活性酸素化合物、
約１０から約３５ｗｔ％のアルカリ度源、
約５から約１５ｗｔ％の界面活性剤、および
約１５から約４０ｗｔ％のビルダー
を含む組成物。
【請求項６４】
ビルダーが、約４０から約９０ｗｔ％のポリカルボン酸および約１０から約４０ｗｔ％のアミノカルボキシレートを含む、請求項５７に記載の組成物。
【請求項６５】
ビルダーが、約４０から約７０ｗｔ％のポリカルボン酸および約３０から約６０ｗｔ％のアミノカルボキシレートを含む、請求項５８に記載の組成物。
【請求項６６】
ビルダーが、約６０ｗｔ％のポリカルボン酸および約４０ｗｔ％のアミノカルボキシレートを含む、請求項６０に記載の組成物。
【請求項６７】
ビルダーが、約５から約９５ｗｔ％のポリカルボン酸および約５から約９５ｗｔ％のアミノカルボキシレートを含む、請求項６２に記載の組成物。
【請求項６８】
ビルダーが、約４０から約９０ｗｔ％のポリカルボン酸および約１０から約４０ｗｔ％のアミノカルボキシレートを含む、請求項６３に記載の組成物。
【発明の詳細な説明】
【技術分野】
【０００１】
本発明は、カーペットまたは椅子張り類を清浄にするまたは衛生的にするための方法および組成物に関する。粉末、他の固体または集塊組成物は、活性酸素化合物、界面活性剤およびビルダーを含む。カーペットまたは椅子張り類を清浄にするまたは衛生的にする方法は、かかる固体（たとえば、粉末）もしくは集塊組成物またはこれらの組成物の一つの使用溶液をカーペットまたは椅子張り類に施用することを含む。
【背景技術】
【０００２】
カーペットの清浄、カーペットの衛生化、椅子張り類の清浄および椅子張り類の衛生化は各々、米国および他の産業国において実質的なサービス産業を成している。米国だけで、年当たり数十億ドル以上が、カーペットおよび椅子張り類の清浄および衛生化サービスに使われている。慣用の清浄または衛生化方法または組成物は、実質量の汚れ、染みおよび微生物汚染を除去し得る。しかしながら、これらの慣用の方法および組成物は、目立つ染みおよび汚れている領域を依然として残し、しかしてそれらはしばしば追加の予備染み抜き工程により除去されねばならない。加えて、第４級アンモニウム化合物のような典型的な慣用の衛生化用組成物は、汚れおよび染みに対して最小の効果しか有さない。更に悪いことに、それらの正電荷に因り、第４級アンモニウム衛生化用組成物は、しばしば、アニオン性汚れの加速蓄積をもたらす。逆に、典型的な清浄用組成物はいくらかの微生物を物理的に取り除き得るが、しかしそれらは衛生的にせず、微生物は生存可能なままである。
【０００３】
カーペットまたは椅子張り類の清浄、染みの除去または衛生化の一つまたはそれ以上を成し遂げるための改善方法および組成物に対するニーズが存続している。
【発明の開示】
【０００４】
発明の要約
【０００５】
本発明は、カーペットまたは椅子張り類を清浄にするまたは衛生的にするための方法および組成物に関する。粉末、他の固体または集塊組成物は、活性酸素化合物、界面活性剤およびビルダーを含む。カーペットまたは椅子張り類を清浄にするまたは衛生的にする方法は、かかる固体（たとえば、粉末）もしくは集塊組成物またはこれらの組成物の一つの使用溶液をカーペットまたは椅子張り類に施用することを含む。
【０００６】
ある具体的態様において、カーペットまたは椅子張り類を清浄にする本方法は、固体（たとえば、粉末）または集塊清浄用組成物をカーペットまたは椅子張り類に施用することを含む。好ましくは、清浄用組成物は、過酸素部分を含む活性酸素化合物、界面活性剤およびビルダーを含む。該組成物は、清浄用組成物をカーペットまたは椅子張り類に施用するための様々な適当な仕方のいずれかにて施用され得る。たとえば、該組成物は、好ましくは予備染み抜きまたは予備吹付け工程の使用なしに、カーペットまたは椅子張り類をエクストラクトする（「吸引する」）ことにより施用され得る。該方法は該組成物を、清浄または衛生化用組成物をカーペットまたは椅子張り類に施用するために適したいかなる形態にても施用し得る。たとえば、ある具体的態様において、該方法は、清浄用組成物を溶媒（好ましくは、水）と混合し、そして清浄用組成物と溶媒のこの混合物をカーペットに施用することを含み得る。該方法はまた、カーペットから該組成物の少なくとも一部を除去することを含み得る。
【０００７】
ある具体的態様において、本方法は、カーペットまたは椅子張り類を衛生的にするのに効果がある。衛生的にする方法は、過酸素部分を含む活性酸素化合物、界面活性剤およびビルダーを含むところの固体（たとえば、粉末）または集塊清浄用組成物をカーペットに施用することを含み得る。好ましくは、清浄にする方法および／または衛生的にする方法は、清浄用組成物をある濃度にて、カーペットを衛生的にするのを達成するのに有効な継続時間施用することを含む。
【０００８】
ある具体的態様において、本方法は、約１から約９９ｗｔ％の活性酸素化合物、約０．１から約５０ｗｔ％の界面活性剤および約１から約９９ｗｔ％のビルダーを含む清浄用組成物を用いる。好ましくは、清浄用組成物は、約１５から約６５ｗｔ％の活性酸素化合物、約２から約２０ｗｔ％の界面活性剤および約１５から約６５ｗｔ％のビルダーを含む。好ましくは、清浄用組成物は、約５０から約７０ｗｔ％の活性酸素化合物、約７から約１１ｗｔ％の界面活性剤および約２０から約３５ｗｔ％のビルダーを含む。
【０００９】
ある具体的態様において、本発明は、カーペットまたは椅子張り類を清浄にするまたは衛生的にするのに適した清浄用組成物を含む。本発明の組成物は、固体（たとえば、粉末）または集塊であり、そして活性酸素化合物、界面活性剤およびビルダーを含む。典型的には、かかる組成物は、約１から約９９ｗｔ％の活性酸素化合物、約０．１から約５０ｗｔ％の界面活性剤および約１から約９９ｗｔ％のビルダーを含む。好ましくは、かかる組成物は、約４０から約９０ｗｔ％の活性酸素化合物、約１から約１１ｗｔ％の界面活性剤および約２０から約６０ｗｔ％のビルダーを含む。好ましくは、清浄用組成物は、約５０から約７０ｗｔ％の活性酸素化合物、約７から約１１ｗｔ％の界面活性剤および約２０から約３５ｗｔ％のビルダーを含む。
【００１０】
ある具体的態様において、ビルダーは、ポリカルボキシレートおよびアミノカルボキシレートビルダーを含む。好ましくは、かかるビルダーは、液体使用または濃厚液の組成物のような液体組成物中の活性酸素化合物を安定化するのに効果がある。
【００１１】
いくつかの具体的態様において、他の随意成分が本組成物中に組み込まれ得、しかしてそれらはたとえば塩または追加の塩、アルカリ度源、酸度源、ｐＨ緩衝剤、硬化剤、脱起泡剤、溶解性調節剤、洗剤用充填剤、水軟化剤、消泡剤、再汚染防止剤、沈殿閾剤または系、抗微生物剤、美的向上剤（すなわち、染料、着臭剤、香料）、蛍光増白剤、漂白剤、酵素、起泡剤、活性酸素化合物用の活性剤、他のかかる添加剤または機能性成分、等、およびそれらの混合物を含む。
【００１２】
発明の詳細な説明
定義
「活性酸素化合物」は、活性酸素を含有するまたは活性酸素の源として作用する薬剤である。好ましい活性酸素化合物は、水溶液中で活性酸素を放出する。
「過酸素化合物」または「過酸化物」は、ペルオキシ部分すなわち−Ｏ−Ｏ−を含有する化合物またはかかる化合物の付加物（酸素原子の少なくとも一つは活性である）を意味する。
「活性酸素化合物付加物」は、第２の分子と連合された活性酸素化合物を含有する物理的付加物である。
「過酸素化合物付加物」は、第２の分子と連合された過酸素化合物を含有する物理的付加物である。
「過酸化水素付加物」または「過酸化水素化物」は、分子状過酸化水素を含有する付加物である。水中に溶解すると、過酸化水素付加物（過酸化水素化物）は、過酸化水素を溶液中に遊離する。
【００１３】
「無機活性酸素化合物」は、活性酸素が無機基に結合されるかまたはそれが２個の無機基を橋かけし得る活性酸素化合物である。
「無機過酸化物」化合物は、過酸化物基がその酸素原子の一つもしくは二つによって無機基に結合されるかまたはそれが２個の無機基を橋かけし得る過酸素化合物である。
「有機活性酸素化合物」は、活性酸素が炭素含有基に結合されるかまたはそれが２個の炭素含有基を橋かけし得る活性酸素化合物である。
「有機過酸化物」化合物は、過酸化物基がその酸素原子の一つもしくは二つによって炭素またはリン含有基に結合されるかまたはそれが２個の炭素含有基を橋かけし得る過酸素化合物である。
【００１４】
「ホスホネート」は、一般式
【化１】
2005511821.tif 000002
の一つを含む有機ホスホン酸並びにそれらの容認され得る塩およびエステル（ここで、Ｒ、Ｒ′およびＲ″は各々有機基である）のクラスを意味する。式Ｉのホスホネートが、典型的には好ましい。
【００１５】
「アミノカルボン酸」は、少なくとも１個のアミノ基および少なくとも１個のカルボン酸置換基を有する酸である。
「アルカリ金属炭酸塩」は、少なくとも１個のアルカリ金属および少なくとも１個の炭酸基を含む化合物である。
【００１６】
用語「機能性物質」または「機能性添加剤」は、望ましい性質を固体（たとえば、粉末）の、集塊の、溶解されたまたは懸濁された組成物に与える活性化合物または物質を指す。たとえば、機能性物質は、固化特性または希釈速度の向上のような望ましい性質を固体（たとえば、粉末）または集塊組成物に与え得る。機能性物質はまた、水性相中に溶解または分散される場合、用いられる場合の水性物質に有益な性質を与え得る。機能性物質の例は、界面活性剤、軟化剤、緩衝剤、防食剤、漂白活性剤、硬化剤、溶解性調節剤、洗剤用充填剤、消泡剤、再汚染防止剤、抗微生物剤、沈殿閾剤または系、美的向上剤（すなわち、染料、香料）、漂白剤、機能性塩、硬化剤、酵素、他のかかる添加剤または機能性成分、等、およびそれらの混合物を含む。組成物に添加される機能性物質は、製造される組成物のタイプおよび該組成物の予定最終用途に応じて変動する。
【００１７】
「清浄にする」は、汚れの除去、漂白またはそれらの組合わせを遂行または援助することを意味する。
本明細書において用いられる場合、固体清浄用組成物は、粉末、フレーク、顆粒、ペレット、タブレット、ロゼンジ、パック（「平円盤状塊」）、ブリケット（「練炭状塊」）、ブリック（「レンガ状塊」）、固形ブロック、単位用量または別の公知固体形態のような固体の形態の清浄用組成物を指す。
本明細書において用いられる場合、用語「集塊」は、その個々の成分粒子の間に様々な程度の空き空間または空隙を有するより大きい粒子を形成するように一緒に集められた粒子を含む清浄用組成物を指す。
【００１８】
本明細書において用いられる場合、用語「微生物」は、いかなる非細胞または単細胞（コロニーを含めて）有機体をも指す。微生物は、すべての原核生物を含む。微生物は、細菌（シアノバクテリアおよびミコバクテリアを含めて）、地衣、真菌、カビ、原生動物、ビリノ、ウイロイド、ウイルスおよびいくつかの藻類を含む。本明細書において用いられる場合、用語「マイクロウブ」は、微生物と同義語である。
【００１９】
本明細書において用いられる場合、重量パーセント（ｗｔ％）重量によるパーセント、重量％、等は、組成物の総重量で割りそして１００倍した物質の重量としての、物質の濃度を指す同義語である。
【００２０】
本明細書において用いられる場合、本発明の組成物中のまたは本発明の方法において用いられる成分の量を修飾する用語「約」は、たとえば現実の世界において濃厚液または使用溶液を作るために用いられる典型的な計量および液体取扱い操作によって、これらの操作における偶然的誤差によって、該組成物を作るためにまたは該方法を行うために用いられる成分の製造、源または純度の相違によって、等によって起こり得る数的量の変動を指す。該用語約はまた、特定の初期混合物から生じる組成についての異なる平衡条件に因り相違する量を含む。用語「約」により修飾されていようがいまいと、請求項は当該量に対する当量を含む。
【００２１】
効能の程度を記述する定義である抗微生物についての「殺微生物」または「静微生物」活性の識別、およびこの効能を測定するための公定実験室プロトコルは、抗微生物剤および抗微生物性組成物の関連性を理解するための考慮事項である。抗微生物性組成物は、２種の微生物細胞損傷を奏し得る。第１のものは、完全な微生物細胞の破壊または無能化をもたらす致死的な不可逆的作用である。第２のタイプの細胞損傷は、有機体が薬剤不含にされる場合再び増殖し得るように不可逆である。前者は殺細菌性そして後者は静細菌性と称される。衛生化剤および消毒剤は、定義により、抗細菌または殺細菌活性を与える薬剤である。対照的に、保存剤は、一般に、阻害剤または静細菌性組成物と記述される。
【００２２】
本特許出願の目的のために、微生物の成功的減少は、微生物の母集団が少なくとも約０．３〜１ｌｏｇ10減少される場合達成される。本出願において、かかる母集団減少は、本方法に容認され得る最小値である。
【００２３】
微生物の母集団のいかなる増加された減少も、より高い防御レベルを与える付加利益である。たとえば、カーペット用衛生化剤は、環境保護局（ＥＰＡ）（米国）によりＵＳ ＥＰＡ−効能データ要件：カーペット用衛生化剤ＤＩＳ／ＴＳＳ−８，４／１８／８１（その内容は、参照することにより本明細書に組み込まれる）において定められた試験手順において、カーペット試料中の１種またはそれ以上の微生物の９９．９％減少（３ｌｏｇ桁の減少）をもたらすことになる。
【００２４】
固体のカーペットまたは椅子張り類の清浄または衛生化用組成物
最も基本的側面において、カーペットまたは椅子張り類の清浄または衛生化用の本組成物は、活性酸素化合物、界面活性剤およびビルダーの、固体（たとえば、粉末）または集塊の混合物を含む。活性酸素化合物は、清浄、漂白、抗微生物活性、およびカーペット清浄用組成物にとっての他の望ましい性質を与え得る。界面活性剤は、有利には、活性酸素化合物により漂白された物質を除去すべき力および／または活性酸素化合物により殺された微生物を洗い流すべき力のような、汚れ除去および清浄力を与える。界面活性剤はまた、乳化、およびカーペット清浄用組成物にとっての他の望ましい性質を与え得る。ビルダーは、清浄、キレート化、抗微生物活性、水の軟化、活性酸素の安定化、およびカーペット清浄用組成物にとっての他の望ましい性質を与え得る。
【００２５】
固体（たとえば、粉末）または集塊のカーペットまたは椅子張り類清浄用組成物についての成分の本組合わせは、カーペットの清浄について有利な性質を与える。本組成物は、好ましくは、微生物を殺しおよび／またはそれらの発育を停止し並びにまたカーペットまたは椅子張り類から生きた、無活動なまたは死んだ微生物を除去するカーペット用衛生化剤として作用する。本組成物は、好ましくは、微生物を殺しおよび／またはそれらの発育を停止し並びにまたカーペットまたは椅子張り類から生きた、無活動なまたは死んだ微生物を除去することにより、カーペットまたは椅子張り類中の微生物の母集団を減少する抗微生物性組成物として作用する。本組成物は、好ましくは、染みを漂白しおよびまた染みを構成する汚れを除去することにより、カーペットまたは椅子張り類から染みを除去する。本組成物は、好ましくは、染みを漂白しおよびまた染みを構成する汚れを除去することにより、カーペットまたは椅子張り類上の染みを薄くする。本組成物は、高通行量域における頑固な汚れを除去するために、界面活性剤と共に、過炭酸塩、炭酸塩および重炭酸塩のようなアルカリ性清浄剤の清浄力を併せ持つ。本組成物は、好ましくは、高通行量域における染みおよび汚れを、このまたは別の清浄用組成物での予備吹付けなしにおよびこれらの染みまたは域の予備染み抜きなしに除去する。これらは、カーペットまたは椅子張り類を清浄にするまたは衛生的にするための本組成物の数多くの利点から選択されたものにすぎない。
【００２６】
これらの成分の各々はまた、安定性のような有利な性質を固体（たとえば、粉末）または集塊清浄用組成物に与え得る。
【００２７】
個々の成分は、これらの組成物のかかる様々な利点に寄与するように選択され得る。好ましくは、活性酸素化合物は、カーペットまたは椅子張り類上の染みを構成する汚れを漂白するのに有効である濃度にあるように選択されて用いられる。好ましくは、活性酸素化合物は、カーペットまたは椅子張り類上の微生物の母集団を減少するのに有効である濃度にあるように選択されて用いられる。好ましくは、活性酸素化合物は、カーペットを衛生的にするのに有効である濃度にあるように選択されて用いられる。好ましくは、界面活性剤は、活性酸素化合物により漂白された汚れを除去するのに有効である濃度にあるように選択されて用いられる。好ましくは、界面活性剤は、活性酸素化合物により殺されたまたは瀕死もしくは無活動にされた微生物を除去するのに有効である濃度にあるように選択されて用いられる。好ましくは、ビルダーは、液体使用または濃厚液の組成物のような液体組成物中の活性酸素化合物を安定化するのに有効である濃度にあるように選択されて用いられる。
【００２８】
本発明によるまたは本発明の方法において用いられるカーペットまたは椅子張り類の清浄または衛生化用組成物のいくつかの例は表１に見られ得、しかしてこの表において、値は総組成物重量に関して成分のｗｔ％にて与えられている。
【００２９】
【表１】
2005511821.tif 000003
【００３０】
更なる好ましい組成は、表２に列挙された成分範囲を含む。
【表２】
2005511821.tif 000004
【００３１】
更なる好ましい組成は、表３に列挙された成分範囲を含む。
【００３２】
【表３】
2005511821.tif 000005
【００３３】
更なる好ましい組成は、表４に列挙された成分範囲を含む。
【００３４】
【表４】
2005511821.tif 000006
【００３５】
更なる好ましい組成は、表５に列挙された成分範囲を含む。
【００３６】
【表５】
2005511821.tif 000007
【００３７】
表４および５に記載された組成は、好ましくは、液体使用または濃厚液の組成物のような液体組成物中の活性酸素化合物を安定化する。ビルダーの組合わせを含む組成物は、液体組成物中の活性酸素化合物を安定化すると決定された。活性酸素化合物を安定化することは、対照組成物と比べて、活性酸素化合物のより高い濃度をより長い時間与えることを含む。活性酸素化合物濃度は、液体組成物中の総過酸化物として測定され得る。活性酸素化合物を安定化するための好ましい組成物は、ビルダーとして、ポリカルボン酸（たとえば、クエン酸）およびアミノカルボキシレート（たとえば、ＥＤＴＡ）を含む。
【００３８】
好ましくは、清浄用組成物は、約５０から約６５ｗｔ％の活性酸素化合物、約７から約１１ｗｔ％の界面活性剤および約２０から約３５ｗｔ％のビルダーを含む。好ましくは、清浄用組成物は、約６０から約９０ｗｔ％の活性酸素化合物、約１から約５ｗｔ％の界面活性剤および約１０から約４０ｗｔ％のビルダーを含む。好ましくは、清浄用組成物は、約８０から約９０ｗｔ％の活性酸素化合物、約１から約４ｗｔ％の界面活性剤および約１０から約２０ｗｔ％のビルダーを含む。好ましくは、清浄用組成物は、約１０から約８０ｗｔ％の活性酸素化合物、約１から約３０ｗｔ％の界面活性剤および約１０から約８０ｗｔ％のビルダーを含む。好ましくは、清浄用組成物は、約５０から約７０ｗｔ％の活性酸素化合物、約７から約１１ｗｔ％の界面活性剤および約２５から約３５ｗｔ％のビルダーを含む。
【００３９】
好ましくは、清浄用組成物は、約４０から約８０ｗｔ％の活性酸素化合物、約４から約１５ｗｔ％の界面活性剤および約１５から約４５ｗｔ％のビルダーを含む。好ましくは、清浄用組成物は、約５０から約６０ｗｔ％の活性酸素化合物、約８から約１０ｗｔ％の界面活性剤および約２５から約３０ｗｔ％のビルダーを含む。好ましくは、清浄用組成物は、約７０から約９５ｗｔ％の活性酸素化合物、約１から約１５ｗｔ％の界面活性剤および約５から約３０ｗｔ％のビルダーを含む。好ましくは、清浄用組成物は、約５から約３０ｗｔ％の活性酸素化合物、約１から約１５ｗｔ％の界面活性剤および約５５から約９５ｗｔ％のビルダーを含む。好ましくは、清浄用組成物は、約５０から約８０ｗｔ％の活性酸素化合物、約１から約１５ｗｔ％の界面活性剤および約１５から約５５ｗｔ％のビルダーを含む。好ましくは、清浄用組成物は、約５０から約６０ｗｔ％の活性酸素化合物、約６から約１０ｗｔ％の界面活性剤および約１５から約２５ｗｔ％のビルダーを含む。好ましくは、清浄用組成物は、約６０から約８０ｗｔ％の活性酸素化合物、約６から約１０ｗｔ％の界面活性剤および約２０から約３０ｗｔ％のビルダーを含む。好ましくは、清浄用組成物は、約６０から約８０ｗｔ％の活性酸素化合物、約１から約３ｗｔ％の界面活性剤および約１５から約２５ｗｔ％のビルダーを含む。好ましくは、清浄用組成物は、約５０から約６０ｗｔ％の活性酸素化合物、約１から約３ｗｔ％の界面活性剤および約３０から約４０ｗｔ％のビルダーを含む。
【００４０】
好ましくは、清浄用組成物は、約４０から約９０ｗｔ％の活性酸素化合物、約１から約１１ｗｔ％の界面活性剤および約２０から約６０ｗｔ％のビルダーを含む。好ましくは、清浄用組成物は、約５０から約８０ｗｔ％の活性酸素化合物、約５から約１１ｗｔ％の界面活性剤および約２０から約３５ｗｔ％のビルダーを含む。好ましくは、清浄用組成物は、約８０ｗｔ％の活性酸素化合物、約２ｗｔ％の界面活性剤および約１８ｗｔ％のビルダーを含む。好ましくは、清浄用組成物は、約５０から約７０ｗｔ％の活性酸素化合物、約１から約５ｗｔ％の界面活性剤および約２０から約４０ｗｔ％のビルダーを含む。好ましくは、清浄用組成物は、約５５ｗｔ％の活性酸素化合物、約８ｗｔ％の界面活性剤および約２０ｗｔ％のビルダーを含む。好ましくは、清浄用組成物は、約５０から約６０ｗｔ％の活性酸素化合物、約８から約１０ｗｔ％の界面活性剤および約２５から約３０ｗｔ％のビルダーを含む。好ましくは、清浄用組成物は、約６０から約８０ｗｔ％の活性酸素化合物、約６から約１０ｗｔ％の界面活性剤および約２０から約３０ｗｔ％のビルダーを含む。好ましくは、清浄用組成物は、約５０から約６０ｗｔ％の活性酸素化合物、約１から約３ｗｔ％の界面活性剤および約３０から約４０ｗｔ％のビルダーを含む。好ましくは、清浄用組成物は、約５０から約７０ｗｔ％の活性酸素化合物、約７から約１１ｗｔ％の界面活性剤および約２５から約３５ｗｔ％のビルダーを含む。
【００４１】
好ましくは、清浄用組成物は、約３０から約８０ｗｔ％の活性酸素化合物、約１から約１５ｗｔ％の界面活性剤および約５から約６０ｗｔ％のビルダーを含む。好ましくは、清浄用組成物は、約４０から約７０ｗｔ％の活性酸素化合物、約５から約１５ｗｔ％の界面活性剤および約１０から約４０ｗｔ％のビルダーを含む。好ましくは、清浄用組成物は、約５０から約６０ｗｔ％の活性酸素化合物、約５から約１０ｗｔ％の界面活性剤および約２０から約２５ｗｔ％のビルダーを含む。好ましくは、清浄用組成物は、約５５ｗｔ％の活性酸素化合物、約７ｗｔ％の界面活性剤および約２２ｗｔ％のビルダーを含む。好ましくは、かかる組成物中のビルダーは、約５から約９５ｗｔ％のポリカルボン酸（たとえば、クエン酸）および約５から約９５ｗｔ％のアミノカルボキシレート（たとえば、ＥＤＴＡ）、好ましくは約４０から約９０ｗｔ％のポリカルボン酸（たとえば、クエン酸）および約１０から約４０ｗｔ％のアミノカルボキシレート（たとえば、ＥＤＴＡ）、好ましくは約４０から約７０ｗｔ％のポリカルボン酸（たとえば、クエン酸）および約３０から約６０ｗｔ％のアミノカルボキシレート（たとえば、ＥＤＴＡ）、好ましくは約６０ｗｔ％のポリカルボン酸（たとえば、クエン酸）および約４０ｗｔ％のアミノカルボキシレート（たとえば、ＥＤＴＡ）を含む。好ましくは、活性酸素化合物は過酸化物付加物（たとえば、過炭酸塩）を含み、そして界面活性剤は非イオン性界面活性剤（たとえば、アルコールエトキシレート）を含む。
【００４２】
好ましくは、清浄用組成物は、約５から約６０ｗｔ％の活性酸素化合物、約１０から約５０ｗｔ％のアルカリ度源、約１から約１５ｗｔ％の界面活性剤および約１０から約５０ｗｔ％のビルダーを含む。好ましくは、清浄用組成物は、約２５から約６０ｗｔ％の活性酸素化合物、約１０から約３５ｗｔ％のアルカリ度源、約５から約１５ｗｔ％の界面活性剤および約１５から約４０ｗｔ％のビルダーを含む。好ましくは、清浄用組成物は、約５０から約６０ｗｔ％の活性酸素化合物、約１５から約２０ｗｔ％のアルカリ度源、約５から約１０ｗｔ％の界面活性剤および約２０から約２５ｗｔ％のビルダーを含む。好ましくは、清浄用組成物は、約５５ｗｔ％の活性酸素化合物、約１８ｗｔ％のアルカリ度源、約７ｗｔ％の界面活性剤および約２２ｗｔ％のビルダーを含む。好ましくは、かかる組成物中のビルダーは、約５から約９５ｗｔ％のポリカルボン酸（たとえば、クエン酸）および約５から約９５ｗｔ％のアミノカルボキシレート（たとえば、ＥＤＴＡ）、好ましくは約４０から約９０ｗｔ％のポリカルボン酸（たとえば、クエン酸）および約１０から約４０ｗｔ％のアミノカルボキシレート（たとえば、ＥＤＴＡ）、好ましくは約４０から約７０ｗｔ％のポリカルボン酸（たとえば、クエン酸）および約３０から約６０ｗｔ％のアミノカルボキシレート（たとえば、ＥＤＴＡ）、好ましくは約６０ｗｔ％のポリカルボン酸（たとえば、クエン酸）および約４０ｗｔ％のアミノカルボキシレート（たとえば、ＥＤＴＡ）を含む。好ましくは、活性酸素化合物は過酸化物付加物（たとえば、過炭酸塩）を含み、アルカリ度源は炭酸塩源（たとえば、炭酸ナトリウム）を含み、そして界面活性剤は非イオン性界面活性剤（たとえば、アルコールエトキシレート）を含む。
【００４３】
好ましくは、清浄用組成物は、約５〜１５％のホスホネート、約１５〜２５％の縮合ホスフェート、約５〜１０％の非イオン性界面活性剤、約５５〜６５％の過酸化水素付加物を含む。好ましくは、清浄用組成物は、約５〜１０％のアミノカルボキシレート、約５〜１０％の非イオン性界面活性剤、約１５〜２５％のアルカリ金属炭酸塩、約１０〜１５％のカルボン酸、約５０〜６０％の過酸化水素付加物を含む。好ましくは、清浄用組成物は、約５〜１５％のアミノカルボキシレート、約１〜５％の非イオン性界面活性剤、約１０〜３０％のアルカリ金属炭酸塩、アルカリ金属重炭酸塩またはそれらの混合物、および約５０〜９０％の過酸化水素付加物を含む。好ましくは、清浄用組成物は、約５０から約８０ｗｔ％の過炭酸ナトリウム、約１から約１１ｗｔ％のアルコールエトキシレート、アルキルベンゼンスルホン酸塩またはそれらの混合物、および約２０から約４０ｗｔ％の非ホスフェートビルダーを含む。
【００４４】
好ましくは、清浄用組成物は、非イオン性界面活性剤、ホスホネート、縮合ホスフェート、過酸化水素付加物、Ｃ１〜Ｃ６カルボン酸、アルカリ金属水素炭酸塩、アルカリ金属水素リン酸塩、アルカリ金属水素硫酸塩、またはそれらの組合わせを含む。好ましくは、清浄用組成物は、非イオン性界面活性剤、アミノカルボキシレート、過酸化水素付加物、Ｃ１〜Ｃ６カルボン酸、アルカリ金属水素炭酸塩、アルカリ金属水素リン酸塩、アルカリ金属水素硫酸塩、またはそれらの組合わせを含む。好ましくは、清浄用組成物は、非イオン性界面活性剤、過酸化水素付加物、アルカリ金属炭酸塩、アミノカルボキシレート、ポリカルボン酸、またはそれらの組合わせを含む。
【００４５】
カーペットおよび椅子張り類を清浄にするまたは衛生的にする本方法において用いられ得る固体または集塊清浄用組成物は、２００１年６月５日に出願された「安定化酸素漂白成分を含む固体清浄用組成物」という名称の米国特許出願公開第０９／８７４，８４１号明細書および２００１年８月７日に出願された「安定化酸素漂白成分を含む固体清浄用組成物」という名称の米国仮特許出願公開第６０／３１０，５９２号明細書に記載されたものを含む。各々が本願と同日に出願された「安定化酸素漂白成分を含む固体清浄用組成物」という名称の米国仮特許出願公開第 号明細書および「安定化活性酸素組成物」という名称の米国仮特許出願公開第 号明細書。これらの特許出願の各々の開示は、参照することにより本明細書に組み込まれる。
【００４６】
活性酸素化合物
活性酸素化合物は、活性酸素の源および染み漂白を与えるように作用し、並びにまた好ましくは抗微生物作用を与える。活性酸素化合物は無機または有機であり得、またそれらの混合物であり得る。活性酸素化合物のいくつかの例は、過酸素化合物および過酸素化合物付加物を含む。
【００４７】
多くの活性酸素化合物は、過酸素化合物である。一般に公知であるそして好ましくは抗微生物作用を与え得るいかなる過酸素化合物も用いられ得る。適当な過酸素化合物の例は、無機および有機過酸素化合物、またはそれらの混合物を含む。
【００４８】
無機活性酸素化合物
無機活性酸素化合物の例は、次のタイプの化合物またはこれらの化合物の源、あるいはこれらのタイプの化合物を含むまたはそれらとの付加物を形成するアルカリ金属塩を含む。すなわち、
過酸化水素、
１（ＩＡ）族活性酸素化合物、たとえば、過酸化リチウム、過酸化ナトリウム、等、
２（ＩＩＡ）族活性酸素化合物、たとえば、過酸化マグネシウム、過酸化カルシウム、過酸化ストロンチウム、過酸化バリウム、等、
１２（ＩＩＢ）族活性酸素化合物、たとえば、過酸化亜鉛、等、
【００４９】
１３（ＩＩＩＡ）族活性酸素化合物、たとえば、過ホウ酸塩たとえば式Ｎａ2［Ｂ2（Ｏ2）2（ＯＨ）4］・６Ｈ2Ｏの過ホウ酸ナトリウム六水和物（過ホウ酸ナトリウム四水和物とも呼ばれそしてかつてはＮａＢＯ3・４Ｈ2Ｏと書かれた）、式Ｎａ2Ｂ2（Ｏ2）2［（ＯＨ）4］・４Ｈ2Ｏのペルオキシホウ酸ナトリウム四水和物（過ホウ酸ナトリウム三水和物とも呼ばれそしてかつてはＮａＢＯ3・３Ｈ2Ｏと書かれた）、式Ｎａ2［Ｂ2（Ｏ2）2（ＯＨ）4］のペルオキシホウ酸ナトリウム（過ホウ酸ナトリウム一水和物とも呼ばれそしてかつてはＮａＢＯ3・Ｈ2Ｏと書かれた）のようなホウ素化合物、等、好ましくは過ホウ酸塩、
１４（ＩＶＡ）族活性酸素化合物、たとえば、アルカリ金属の過ケイ酸塩またはペルオキシ炭酸塩のような過ケイ酸塩およびペルオキシ炭酸塩（過炭酸塩とも呼ばれる）、等、好ましくは過炭酸塩、
１５（ＶＡ）族活性酸素化合物、たとえば、ペルオキシ亜硝酸およびその塩、ペルオキシリン酸およびそれらの塩たとえば過リン酸塩、等、好ましくは過リン酸塩、
【００５０】
１６（ＶＩＡ）族活性酸素化合物、たとえば、ペルオキシ一硫酸、ペルオキシ二硫酸およびそれらの塩（過硫酸塩たとえば過硫酸ナトリウムのような）のようなペルオキシ硫酸およびそれらの塩、等、好ましくは過硫酸塩、
ＶＩＩａ族活性酸素化合物、たとえば、過ヨウ素酸ナトリウム、過塩素酸カリウム、等。
【００５１】
他の無機活性酸素化合物は、遷移金属過酸化物、および他のかかる過酸素化合物、並びにそれらの混合物を含み得る。
【００５２】
好ましくは、本発明の組成物および方法は、上記に列挙された無機活性酸素化合物の或るものを用いる。好ましい無機活性酸素化合物は、過酸化水素、過酸化水素付加物、ＩＩＩＡ族活性酸素化合物、ＶＩＡ族活性酸素化合物、ＶＡ族活性酸素化合物、ＶＩＩＡ族活性酸素化合物、またはそれらの混合物を含む。かかる無機活性酸素化合物の好ましい例は、過炭酸塩、過ホウ酸塩、過硫酸塩、過リン酸塩、過ケイ酸塩、またはそれらの混合物を含む。過酸化水素は、無機活性酸素化合物の一つの好ましい例を呈する。過酸化水素は、過酸化水素と水の混合物として、たとえば水溶液中の液体過酸化水素として処方され得る。溶液であるこの混合物は、約５から約４０ｗｔ％の過酸化水素好ましくは５から５０ｗｔ％の過酸化水素を含み得る。
【００５３】
ある具体的態様において、好ましい無機活性酸素化合物は、過酸化水素付加物を含む。たとえば、無機活性酸素化合物は、過酸化水素、過酸化水素付加物、またはそれらの混合物を含み得る。様々な過酸化水素付加物のいずれも、本組成物および方法において用いるのに適合し得る。たとえば、適当な過酸化水素付加物は、アルカリ金属過炭酸塩、尿素過酸化物、ペルアセチルボレート、Ｈ2Ｏ2とポリビニルピロリドンの付加物、過炭酸ナトリウム、過炭酸カリウム、それらの混合物、等を含む。好ましい過酸化水素付加物は、過炭酸塩、尿素過酸化物、ペルアセチルボレート、Ｈ2Ｏ2とポリビニルピロリドンの付加物、またはそれらの混合物を含む。好ましい過酸化水素付加物は、過炭酸ナトリウム、過炭酸カリウムまたはそれらの混合物、好ましくは過炭酸ナトリウムを含む。
【００５４】
活性酸素化合物付加物
活性酸素化合物付加物は、一般に公知であるそして好ましくは活性酸素の源としておよび固体または集塊組成物の一部として機能し得るいずれのものもを含む。過酸化水素付加物または過酸化水素化物が好ましい。活性酸素化合物付加物のいくつかの例は、次のものを含む。すなわち、
【００５５】
アルカリ金属過炭酸塩、たとえば、過炭酸ナトリウム（炭酸ナトリウム過酸化水素化物）、過炭酸カリウム、過炭酸ルビジウム、過炭酸セシウム、等；炭酸アンモニウム過酸化水素化物、等；尿素過酸化水素化物、ペルオキシアセチルボレート；Ｈ2Ｏ2ポリビニルピロリドンの付加物、等；および上記のいずれかの混合物。
【００５６】
アルカリ金属過炭酸塩が好ましく、しかして過炭酸ナトリウムが最も好ましい。しかしながら、実施例において例示されるようないくつかの具体的態様において、活性酸素化合物は過炭酸ナトリウムを含まない、ということが留意されるべきである。
【００５７】
有機活性酸素化合物
様々な有機活性酸素化合物のいずれも、本発明の組成物および方法において用いられ得る。たとえば、有機活性酸素化合物は、モノもしくはジペルオキシカルボン酸またはエステルペルオキシカルボン酸のようなペルオキシカルボン酸、これらのタイプの化合物を含むアルカリ金属塩、あるいはかかる化合物の付加物であり得る。好ましいペルオキシカルボン酸は、Ｃ1〜Ｃ24ペルオキシカルボン酸、Ｃ1〜Ｃ24ペルオキシカルボン酸の塩、Ｃ1〜Ｃ24ペルオキシカルボン酸のエステル、ジペルオキシカルボン酸、ジペルオキシカルボン酸の塩、ジペルオキシカルボン酸のエステル、またはそれらの混合物を含む。
【００５８】
好ましいペルオキシカルボン酸は、Ｃ1〜Ｃ10脂肪族ペルオキシカルボン酸、Ｃ1〜Ｃ10脂肪族ペルオキシカルボン酸の塩、Ｃ1〜Ｃ10脂肪族ペルオキシカルボン酸のエステル、またはそれらの混合物、好ましくは、ペルオキシ酢酸の塩または付加物好ましくはペルオキシアセチルボレートを含む。好ましいジペルオキシカルボン酸は、Ｃ4〜Ｃ10脂肪族ジペルオキシカルボン酸、Ｃ4〜Ｃ10脂肪族ジペルオキシカルボン酸の塩もしくはＣ4〜Ｃ10脂肪族ジペルオキシカルボン酸のエステル、またはそれらの混合物、好ましくは、過グルタル酸の、過コハク酸の、過アジピン酸のナトリウム塩またはそれらの混合物を含む。
【００５９】
有機活性酸素化合物は、有機部分を含む他の酸を含む。好ましい有機活性酸素化合物は、過ホスホン酸、過ホスホン酸塩、過ホスホン酸エステル、またはそれらの混合物もしくは組合わせを含む。
【００６０】
エステルペルオキシカルボン酸
本明細書において用いられる場合、エステルペルオキシカルボン酸は、式
【化２】
2005511821.tif 000008
を有する分子を指す。この式において、Ｒ2およびＲ3は独立して、広く様々な有機基（たとえば、アルキル、線状または環状、芳香族または飽和）または置換有機基（たとえば、１個またはそれ以上のヘテロ原子または有機基を有する）のいずれかであり得る。エステルペルオキシカルボン酸は、対応するモノエステル（後で記載される）またはジエステル（先に記載された）ジカルボキシレートを過酸化水素と共に定温放置することのように、ペルオキシカルボン酸を生成させるために典型的に用いられる方法を用いて作られ得る。本明細書に記載されたモノまたはジエステルジカルボキシレートから誘導されたまたはそれらに対応するエステルペルオキシカルボン酸が好ましい。
【００６１】
好ましいエステルペルオキシカルボン酸は、アルキルエステルペルオキシカルボン酸、好ましくは式
【化３】
2005511821.tif 000009
〔ここで、Ｒ2は１から８個の炭素を有するアルキル基を表し、そしてｎは０から６好ましくは１から５である〕
を有するものを含む。アルキル基は、直鎖状または分枝状のどちらかであり得る。好ましくは、Ｒ2は、メチル、エチル、プロピル（ｎ−、イソ）、ブチル（ｎ−、イソ、ｔｅｒｔ−）、ｎ−アミル、ｎ−ヘキシルまたは２−エチルヘキシル基である。好ましくは、ｎは、２、３、４または５である。一つの好ましい具体的態様において、本発明のまたは本発明において用いられる組成物は、ｎが２、３および４であるアルキルエステルペルオキシカルボン酸の混合物を含む。かかる混合物は、ペルオキシアジピン酸、ペルオキシグルタル酸およびペルオキシコハク酸のモノエステルを含む。別の好ましい具体的態様において、該組成物中のエステルペルオキシカルボン酸の大部分は、３に等しいｘを有する。好ましい具体的態様において、Ｒ2は、Ｃ1〜Ｃ8アルキルである。好ましい具体的態様において、ｎは、１、２、３または４である。最も好ましくは、Ｒ2はＣ1アルキル、Ｃ2アルキル、Ｃ3アルキルまたはＣ4アルキルであり、そしてｎは２、３または４であり、あるいはそれらの組合わせである。別の非常に好ましい具体的態様において、Ｒ2はＣ5〜Ｃ8アルキルであり、ｎは５または６である。
【００６２】
本発明において有用なアルキルエステルペルオキシカルボン酸は、モノメチルモノペルオキシシュウ酸、モノメチルモノペルオキシマロン酸、モノメチルモノペルオキシコハク酸、モノメチルモノペルオキシグルタル酸、モノメチルモノペルオキシアジピン酸、モノメチルモノペルオキシセバシン酸、モノエチルモノペルオキシシュウ酸、モノエチルモノペルオキシマロン酸、モノエチルモノペルオキシコハク酸、モノエチルモノペルオキシグルタル酸、モノエチルモノペルオキシアジピン酸、モノエチルモノペルオキシセバシン酸、モノプロピルモノペルオキシシュウ酸、モノプロピルモノペルオキシマロン酸、モノプロピルモノペルオキシコハク酸、モノプロピルモノペルオキシグルタル酸、モノプロピルモノペルオキシアジピン酸、モノプロピルモノペルオキシセバシン酸（ここで、プロピルはｎ−またはイソプロピルであり得る）、モノブチルモノペルオキシシュウ酸、モノブチルモノペルオキシマロン酸、モノブチルモノペルオキシコハク酸、モノブチルモノペルオキシグルタル酸、モノブチルモノペルオキシアジピン酸、モノブチルモノペルオキシセバシン酸（ここで、ブチルはｎ−、イソまたはｔ−ブチルであり得る）、モノアミルモノペルオキシシュウ酸、モノアミルモノペルオキシマロン酸、モノアミルモノペルオキシコハク酸、モノアミルモノペルオキシグルタル酸、モノアミルモノペルオキシアジピン酸、モノアミルモノペルオキシセバシン酸（ここで、アミルはｎ−である）、モノヘキシルモノペルオキシセバシン酸（ここで、ヘキシルはｎ−である）、モノ−２−エチルヘキシルモノペルオキシセバシン酸を含む。
【００６３】
ペルオキシカルボン酸
ペルオキシカルボン酸（または過カルボン酸）は、一般に、式Ｒ（ＣＯ3Ｈ）n（ここで、Ｒはアルキル、アリールアルキル、シクロアルキル、芳香族、複素環式またはエステル基（アルキルエステル基のような）であり、そしてｎは１、２または３である）を有し、そしてペルオキシを親酸の前に付けることにより命名される。エステル基は、有機部分（Ｒについて上記に列挙されたもののような）およびエステル部分を含むＲ基と定義される。好ましいエステル基は、Ｒ1ＯＣ（Ｏ）Ｒ2−（ここで、Ｒ1およびＲ2の各々は、Ｒについて上記に記載された脂肪族好ましくはアルキル基であり得る）のような、脂肪族エステル基を含む。好ましくは、Ｒ1およびＲ2は各々独立して、１から８個の炭素原子を有するアルキル基のような、小さいアルキル基である。
【００６４】
ペルオキシカルボン酸はカルボン酸ほど安定でないけれども、それらの安定性は一般に分子量を増加すると共に増加する。これらの酸の熱分解は、一般に、フリーラジカルおよび非ラジカル経路により、光分解もしくはラジカル誘発分解により、または金属イオンもしくは錯体の作用により進行され得る。過カルボン酸は、過酸化水素とカルボン酸との直接的酸触媒平衡作用により、アルデヒドの自動酸化により、あるいは酸塩化物および水素化物またはカルボン酸無水物と過酸化水素または過酸化ナトリウムとから作られ得る。
【００６５】
本発明の組成物および方法において有用なペルオキシカルボン酸は、ペルオキシギ酸、ペルオキシ酢酸、ペルオキシプロピオン酸、ペルオキシブタン酸、ペルオキシペンタン酸、ペルオキシヘキサン酸、ペルオキシヘプタン酸、ペルオキシオクタン酸、ペルオキシノナン酸、ペルオキシデカン酸、ペルオキシウンデカン酸、ペルオキシドデカン酸、ペルオキシ乳酸、ペルオキシクエン酸、ペルオキシマレイン酸、ペルオキシアスコルビン酸、ペルオキシヒドロキシ酢酸（ペルオキシグリコール酸）、ペルオキシシュウ酸、ペルオキシマロン酸、ペルオキシコハク酸、ペルオキシグルタル酸、ペルオキシアジピン酸、ペルオキシピメリン酸およびペルオキシスベリン酸、並びにそれらの混合物を含む。有用なペルオキシカルボン酸はまた、上記に記載されたエステルペルオキシカルボン酸を含む。
【００６６】
１個より多いカルボキシレート部分を有するカルボン酸のペルオキシ形態は、ペルオキシカルボキシル部分として存在するカルボキシル部分を１個またはそれ以上有する。これらのペルオキシカルボン酸およびそれらのアルカリ金属塩は、水性混合物中の良好な安定性と共に良好な抗微生物作用を与えることが分かった。好ましい具体的態様において、本発明のまたは本発明において用いられる組成物は、いくつかの異なるペルオキシカルボン酸の組合わせを利用する。
【００６７】
好ましい具体的態様において、本組成物は、１種またはそれ以上のアルキルエステルペルオキシカルボン酸および随意に２から１２個の炭素原子を有するペルオキシカルボン酸を含む。好ましくは、かかる組成物は、ペルオキシ酢酸またはペルオキシオクタン酸もしくはペルオキシデカン酸、並びにモノメチルモノペルオキシシュウ酸、モノメチルモノペルオキシマロン酸、モノメチルモノペルオキシコハク酸、モノメチルモノペルオキシグルタル酸、モノメチルモノペルオキシアジピン酸、モノエチルモノペルオキシシュウ酸、モノエチルモノペルオキシマロン酸、モノエチルモノペルオキシコハク酸、モノエチルモノペルオキシグルタル酸、モノエチルモノペルオキシアジピン酸、モノプロピルモノペルオキシシュウ酸、モノプロピルモノペルオキシマロン酸、モノプロピルモノペルオキシコハク酸、モノプロピルモノペルオキシグルタル酸、モノプロピルモノペルオキシアジピン酸（ここで、プロピルはｎ−またはイソプロピルであり得る）、モノブチルモノペルオキシシュウ酸、モノブチルモノペルオキシマロン酸、モノブチルモノペルオキシコハク酸、モノブチルモノペルオキシグルタル酸、モノブチルモノペルオキシアジピン酸（ここで、ブチルはｎ−、イソまたはｔｅｒｔ−ブチルであり得る）、モノアミルシュウ酸、モノアミルマロン酸、モノアミルコハク酸、モノアミルグルタル酸、モノアミルアジピン酸、モノアミルセバシン酸（ここで、アミルはｎ−である）、モノヘキシルセバシン酸（ここで、ヘキシルはｎ−である）およびモノ−２−エチルヘキシルセバシン酸またはそれらの混合物を含む。
【００６８】
活性酸素化合物を含む組成物
或る具体的態様において、清浄用組成物は、約１０から約８０ｗｔ％の活性酸素化合物、約５０から約８０ｗｔ％の活性酸素化合物、約４０から約８０ｗｔ％の活性酸素化合物、約５０から約７０ｗｔ％の活性酸素化合物、約５０から約６５ｗｔ％の活性酸素化合物、約５０から約６０ｗｔ％の活性酸素化合物、約６０から約８０ｗｔ％の活性酸素化合物、約６０から約９０ｗｔ％の活性酸素化合物、約７０から約９５ｗｔ％の活性酸素化合物、約８０から約９０ｗｔ％の活性酸素化合物または約５から約３０ｗｔ％の活性酸素化合物を含む。
【００６９】
或る具体的態様において、清浄用組成物は、約４０から約９０ｗｔ％の活性酸素化合物、約５０から約８０ｗｔ％の活性酸素化合物、約６０から約８０ｗｔ％の活性酸素化合物、約５０から約７０ｗｔ％の活性酸素化合物、約５０から約６０ｗｔ％の活性酸素化合物、約８０ｗｔ％の活性酸素化合物または約５５ｗｔ％の活性酸素化合物を含む。
【００７０】
或る具体的態様において、清浄用組成物は、約３０から約８０ｗｔ％の活性酸素化合物、約４０から約７０ｗｔ％の活性酸素化合物、約５から約６０ｗｔ％の活性酸素化合物、約２５から約６０ｗｔ％の活性酸素化合物、約５０から約６０ｗｔ％の活性酸素化合物または約５５ｗｔ％の活性酸素化合物を含む。
【００７１】
或る具体的態様において、清浄用組成物は、下限として約５、約１０、約２０、約２５、約３０、約４０、約５０、約６０、約７０または約８０ｗｔ％の活性酸素化合物から約２０、約３０、約４０、約５０、約６０、約７０、約８０または約９０ｗｔ％の上限までの活性酸素化合物、あるいは約により修飾されないこれらの端点の各々を含む。或る具体的態様において、清浄用組成物は、約３０、約４０、約５０、約５５、約６０、約６５、約７０、約７５、約８０、約８５または約９０ｗｔ％の活性酸素化合物、あるいは約により修飾されないこれらの量のいずれかを含む。
【００７２】
界面活性剤
本組成物は、好ましくは界面活性剤または界面活性剤系であるところの、少なくとも１種の清浄剤を含み得る。様々な界面活性剤または界面活性剤の混合物が用いられ得る。適当な界面活性剤は、アニオン性、非イオン性およびツビッターイオン性界面活性剤を含み、しかしてこれらの界面活性剤は多数の供給業者から商業的に入手できる。好ましい界面活性剤は、非イオン性界面活性剤を含む。界面活性剤の論考について、Kirk-Othmer，Encyclopedia of Chemical Technology，第３版，第８巻，第９００〜９１２頁が参照される。
【００７３】
本清浄用組成物において有用なアニオン性界面活性剤は、たとえば、アルキルカルボキシレート（カルボン酸塩）およびポリアルコキシカルボキシレート、アルコールエトキシレートカルボキシレート、ノニルフェノールエトキシレートカルボキシレート、等のようなカルボン酸塩；アルキルスルホン酸塩、アルキルベンゼンスルホン酸塩、アルキルアリールスルホン酸塩、スルホン化脂肪酸エステル、等のようなスルホン酸塩；硫酸化アルコール、硫酸化アルコールエトキシレート、硫酸化アルキルフェノール、アルキル硫酸塩、スルホコハク酸エステル、アルキルエーテル硫酸塩、等のような硫酸塩；並びにアルキルリン酸塩エステル、等のようなリン酸塩エステルを含む。好ましいアニオン性物質は、ナトリウムアルキルアリールスルホネート、アルファ−オレフィンスルホン酸塩、および脂肪アルコール硫酸塩である。好ましいアニオン性界面活性剤の例は、ナトリウムドデシルベンゼンスルホン酸、カリウムラウレス−７サルフェートおよびナトリウムテトラデセニルスルホネートを含む。
【００７４】
非イオン性界面活性剤は、本清浄用組成物において有用であり、界面活性剤分子の一部としてポリアルキレンオキシドポリマーを有するものを含む。かかる非イオン性界面活性剤は、たとえば、脂肪アルコールの塩素−、ベンジル−、メチル−、エチル−、プロピル−、ブチル−および他の同様なアルキル−キャップドポリエチレンおよび／またはポリプロピレングリコールエーテル；アルキルポリグリコシドのようなポリアルキレンオキシド不含非イオン性物質；ソルビタンおよびショ糖エステル並びにそれらのエトキシレート；アルコキシル化エチレンジアミン；脂肪酸のグリセロールエステル、ポリオキシエチレンエステル、エトキシル化およびグリコールエステル、等のようなカルボン酸エステル；ジエタノールアミン縮合物、モノアルカノールアミン縮合物、ポリオキシエチレン脂肪酸アミド、等のようなカルボン酸アミド；並びにTomah Corporationから商業的に入手できるエトキシル化アミンおよびエーテルアミン、並びに他の同様な非イオン性化合物を含む。ABIL B8852（Goldschmidt）のようなシリコーン界面活性剤もまた用いられ得る。
【００７５】
ポリアルキレンオキシドポリマー部分を有する更なる適当な非イオン性界面活性剤は、１から約２０個のエチレンオキシド基（好ましくは、約９から約２０個のエチレンオキシド基）を有するＣ６〜Ｃ２４アルコールエトキシレート（好ましくは、Ｃ６〜Ｃ１４アルコールエトキシレート）；１から約１００個のエチレンオキシド基（好ましくは、約１２から約２０個のエチレンオキシド基）を有するＣ６〜Ｃ２４アルキルフェノールエトキシレート（好ましくは、Ｃ８〜Ｃ１０アルキルフェノールエトキシレート）；１から約２０個のグリコシド基（好ましくは、約９から約２０個のグリコシド基）を有するＣ６〜Ｃ２４アルキルポリグリコシド（好ましくは、Ｃ６〜Ｃ２０アルキルポリグリコシド）；Ｃ６〜Ｃ２４脂肪酸エステルエトキシレート、プロポシレートまたはグリセリド；およびＣ４〜Ｃ２４モノまたはジアルカノールアミドの非イオン性界面活性剤を含む。
【００７６】
特定のアルコールアルコキシレートは、アルコールエトキシレートプロポキシレート、アルコールプロポキシレート、アルコールプロポキシレートエトキシレートプロポキシレート、アルコールエトキシレートブトキシレート、等；ノニルフェノールエトキシレート、ポリオキシエチレングリコールエーテル、等；および商標PLURONIC（BASF-Wyandotte）下で商業的に入手できるもののようなエチレンオキシド／プロピレンオキシドブロックコポリマーを含めてポリアルキレンオキシドブロックコポリマー、等を含む。
【００７７】
特にカーペットまたは椅子張り類の清浄または衛生化用の、好ましい非イオン性界面活性剤は、低起泡性の非イオン性界面活性剤を含む。けれども、より高い起泡性の非イオン性界面活性剤は、本発明の組成物および方法において用いられ得る。好ましい低起泡性の非イオン性界面活性剤の例は、TERGITOLTM（「タージトール」）15-S-7（Union Carbide）、タージトール15-S-3、タージトール15-S-9、等のような商品名TERGITOLTM下で販売されているもののような第２級エトキシレートを含む。低起泡性の非イオン性界面活性剤の他の好ましいクラスは、アルキルまたはベンジルキャップドポリオキシアルキレン誘導体およびポリオキシエチレン／ポリオキシプロピレンコポリマーを含む。
【００７８】
消泡剤として用いるために有用な非イオン性界面活性剤は、平均して１２モルのエチレンオキシドが縮合されているノニルフェノールであって、しかも平均して３０モルのプロピレンオキシドを含む疎水性部分で末端がキャップされているノニルフェノールである。ケイ素含有消泡剤もまたよく知られており、そして本発明の組成物および方法において用いられ得る。
【００７９】
好ましい両性界面活性剤は、式
【化４】
2005511821.tif 000010
〔ここで、Ｒ、Ｒ′、Ｒ″およびＲ″′は各々、１個またはそれ以上のＰ、Ｏ、ＳまたはＮヘテロ原子を随意に含有し得るＣ1〜Ｃ24アルキル、アリールまたはアラルキル基である〕
を有するアミンオキシド化合物を含む。
【００８０】
好ましい両性界面活性剤の別のクラスは、式
【化５】
2005511821.tif 000011
〔ここで、Ｒ、Ｒ′、Ｒ″およびＲ″′は各々、１個またはそれ以上のＰ、Ｏ、ＳまたはＮヘテロ原子を随意に含有し得るＣ1〜Ｃ24アルキル、アリールまたはアラルキル基であり、そしてｎは約１から約１０である〕
を有するベタイン化合物を含む。
【００８１】
好ましい界面活性剤は、線状アルキルベンゼンスルホン酸およびそれらの塩並びにPluronicTM商品名下で販売されているエチレンオキシド／プロピレンオキシド誘導体である食品等級の界面活性剤を含む。好ましい界面活性剤は、間接または直接用食品添加剤または物質として適合性があり、特にCode of Federal Regulations（「連邦規則集」）（ＣＦＲ），タイトル２１−−食品および薬物，パート１７０から１８６（参照することにより本明細書に組み込まれる）に記載されたものである。
【００８２】
カーペットまたは椅子張り類の清浄または衛生化用組成物は、好ましくは、非イオン性界面活性剤のような低泡界面活性剤、またはアニオン性界面活性剤と消泡剤との組合わせを含む。両性界面活性剤はカーペットまたは椅子張り類の清浄または衛生化用組成物について用いられ得るが、しかしかかる界面活性剤は典型的には望ましくないほど高いレベルの泡を生じる。カーペットまたは椅子張り類の清浄または衛生化用組成物は、好ましくは、カチオン性界面活性剤を用いない（その使用は、或るカーペットまたは椅子張り類製造業者により与えられた保証を無効にし得る（これは、アニオン性汚れの誘引剤としてのそれらの作用に因ると信じられる））。
【００８３】
通常、本発明によるカーペットまたは椅子張り類の清浄のための固体または集塊清浄用組成物は、約２５ｗｔ％以下の界面活性剤、好ましくは約０．１〜２０ｗｔ％、好ましくは約１．５〜１５ｗｔ％、好ましくは０．１から約１０ｗｔ％の界面活性剤、最も好ましくは０．１から約５ｗｔ％の界面活性剤を含有する。これらの濃厚物の使用希釈物は、好ましくは約１０ｗｔ％以下の界面活性剤、一層好ましくは０．１から約５ｗｔ％の界面活性剤、最も好ましくは０．１から約２ｗｔ％を含有する。
【００８４】
界面活性剤を含む組成物
或る具体的態様において、清浄用組成物は、約１から約３０ｗｔ％の界面活性剤、約１から約１５ｗｔ％の界面活性剤、約１から約５ｗｔ％の界面活性剤、約１から約４ｗｔ％の界面活性剤、約１から約３ｗｔ％の界面活性剤、約４から約１５ｗｔ％の界面活性剤、約６から約１０ｗｔ％の界面活性剤、約７から約１１ｗｔ％の界面活性剤または約８から約１０ｗｔ％の界面活性剤を含む。或る具体的態様において、清浄用組成物は、約１から約１１ｗｔ％の界面活性剤、約１から約５ｗｔ％の界面活性剤、約１から約３ｗｔ％の界面活性剤、約５から約１１ｗｔ％の界面活性剤、約６から約１０ｗｔ％の界面活性剤、約７から約１１ｗｔ％の界面活性剤、約８から約１０ｗｔ％の界面活性剤または約８ｗｔ％の界面活性剤を含む。或る具体的態様において、清浄用組成物は、約１から約１５ｗｔ％の界面活性剤、約５から約１５ｗｔ％の界面活性剤、約５から約１０ｗｔ％の界面活性剤または約７ｗｔ％の界面活性剤を含む。
【００８５】
或る具体的態様において、清浄用組成物は、下限として約１、約２、約３、約４、約５、約６、約７、約８、約１０、約１５、約２０または約２５ｗｔ％の界面活性剤から約２、約３、約４、約５、約６、約７、約８、約１０、約１１、約１５、約２０または約２５ｗｔ％の上限までの界面活性剤、あるいは約により修飾されないこれらの端点の各々を含む。或る具体的態様において、清浄用組成物は、約１、約２、約３、約４、約５、約６、約７、約８、約９、または約１０、約１１、約１５、約２０、約２５、または約３０ｗｔ％の界面活性剤、あるいは約により修飾されないこれらの量のいずれかを含む。
【００８６】
ビルダー
ビルダーは、無機塩類硬度を制御するのを援助することを含む目的のために、本発明の清浄用組成物中に含められ得る。ビルダーは、キレート化剤、金属イオン封鎖剤、洗剤用ビルダー、等を含む。有機ビルダーだけでなく無機ビルダーも用いられ得る。ビルダーはまた、有効量にて含められる場合、閾剤として機能し得る。ビルダーは、好ましくは、液体使用または濃厚液の組成物のような液体組成物中の活性酸素化合物を安定化するよう機能する。好ましくは、キレート化剤ビルダーのレベルは、硬水中における沈殿を防止するのに十分である。ビルダーのレベルは、本組成物の最終用途およびその所望物理的形態に依存して広く変動し得る。
【００８７】
本組成物において一般に有用なビルダーは、ホスホン酸およびホスホネート、ホスフェート、アミノカルボキシレート、ポリカルボキシレート、無機ビルダー、それらの塩、それらの組合わせまたは混合物、等を含む。
【００８８】
好ましいビルダー混合物は、アミノカルボキシレートビルダー（たとえば、ＥＤＴＡ）とモノマーポリカルボキシレートビルダー（たとえば、クエン酸またはクエン酸塩ビルダー）の混合物を含む。好ましくは、アミノカルボキシレートビルダーおよびポリカルボキシレートビルダーは、液体組成物中の過酸化物のような活性酸素化合物を安定化するのに有効である濃度にあるように選択されて用いられる。好ましくは、ビルダーの混合物は、活性酸素化合物の少なくとも約５０％が液体組成物中に１２０°Ｆ（４８．９℃）において２４時間後に残存する程度まで、活性酸素化合物を安定化するのに効果がある。好ましくは、活性酸素化合物の少なくとも約７０％が液体組成物中に１２０°Ｆ（４８．９℃）において２４時間後に残存する。好ましくは、液体組成物は、約０．０１から約２０ｗｔ％の、固体（たとえば、粉末）清浄用組成物を含む。
【００８９】
カーペットまたは椅子張り類の清浄または衛生化用の好ましい組成物は、ビルダーとして、縮合ホスフェート、ホスホネート、アミノカルボキシレート、ポリカルボキシレート、アルカリ金属炭酸塩、またはそれらの混合物を含む。好ましい縮合ホスフェートは、トリポリリン酸ナトリウムを含む。好ましい組成物は、ビルダーとして、アミノカルボキシレート（たとえば、ＥＤＴＡ）およびポリカルボキシレート（たとえば、クエン酸またはアルカリ金属クエン酸塩）を含む。かかる組成物はまた、アルカリ金属炭酸塩を含み得、しかしてアルカリ金属炭酸塩は、たとえば、追加のビルダーおよび／またはアルカリ度源として機能し得る。好ましいポリカルボキシレートは、クエン酸またはクエン酸塩（たとえば、アルカリ金属塩）を含む。
【００９０】
カーペットまたは椅子張り類の清浄または衛生化用の好ましい組成物は、ビルダーとして、リンを含有しない水溶性化合物を含む。リンを含有しない適当な水溶性化合物は、アミノカルボキシレートおよびポリカルボキシレートを含む。好ましいアミノカルボキシレートは、ニトリロトリ酢酸、ＥＤＴＡ、それらのアルカリ金属塩、およびそれらの混合物を含む。好ましいポリカルボキシレートは、クエン酸塩ビルダーを含む。好ましくは、該組成物は、ビルダーとして、ニトリロトリアセテート、クエン酸、エチレンジアミンテトラアセテート、それらの塩、またはそれらの混合物を含む。
【００９１】
ビルダーの更なる論考について、Kirk-Othmer，Encyclopedia of Chemical Technology，第３版，第５巻，第３３９〜３６６頁および第２３巻，第３１９〜３２０頁が参照され、しかしてそれらの開示は参照することにより本明細書に組み込まれる。
【００９２】
ホスホネート
本組成物および方法においてビルダーとして用いるのに適したホスホネートは、無機ホスホン酸、有機ホスホネートおよびアミノホスホネートのような、活性酸素化合物と共に用いるのに適合し得るものを含む。適当なホスホネートは、ホスホン酸およびそれらの塩（アルカリ金属塩のような）を含む。
【００９３】
好ましい金属イオン封鎖剤は、１−ヒドロキシエチリデン−１，１−ジホスホン酸（ＣＨ3Ｃ（ＰＯ3Ｈ2）2ＯＨ）（ＨＥＤＰ）、アミノ［トリ（メチレンホスホン酸）］（ＡＴＭＰ）、エチレンジアミン［テトラメチレン−ホスホン酸）］、２−ホスフェンブタン−１，２，４−トリカルボン酸（ＰＢＴＣ）、並びにそれらのアルキル金属塩、アンモニウム塩またはアルキロイルアミン塩（モノ、ジまたはテトラエタノールアミン塩のような）のような、ホスホン酸およびホスホン酸塩を含む。好ましい有機の組合わせは、ＡＴＭＰとＤＴＰＭＰである。好ましくは、清浄用組成物はビルダーとしてホスホネートを含み、そしてホスホネートはアミノトリ（メチレンホスホン酸）、１−ヒドロキシエチリデン−１，１−ジホスホン酸、ジエチレントリアミノペンタ（メチレンホスホン酸）、それらの塩、またはそれらの混合物を含む。
【００９４】
適当なホスホネートは、Ｈ3ＰＯ3であるリンの酸およびその塩を含む。
【００９５】
更なる適当なホスホネートは、有機ホスホネートを含む。有機ホスホネートは、約２〜４個のカルボン酸部分および約１〜３個のホスホン酸基を有するもののような、低分子量ホスホノポリカルボン酸を含む。有機ホスホネートのいくつかの例は、１−ヒドロキシエタン−１，１−ジホスホン酸すなわちＣＨ3Ｃ（ＯＨ）［ＰＯ（ＯＨ）2］2、１−ホスホノ−１−メチルコハク酸、ホスホノコハク酸、２−ホスホノブタン−１，２，４−トリカルボン酸、他の同様な有機ホスホネート、それらの塩、およびそれらの混合物を含む。
【００９６】
適当なホスホネートは、アミノホスホネート、すなわち、アミノまたはイミノ（たとえば、窒素）部分を有するホスホネートを含む。かかるアミノホスホネートは、次のものを含む。すなわち、エチレンジアミン（テトラメチレンホスホネート）、ニトリロトリスメチレンホスフェート、ジエチレントリアミン（ペンタメチレンホスホネート）、アミノトリ（メチレンホスホン酸）すなわちＮ［ＣＨ2ＰＯ（ＯＨ）2］3、アミノトリ（メチレンホスホネート），ナトリウム塩すなわち
【化６】
2005511821.tif 000012
２−ヒドロキシエチルイミノビス（メチレンホスホン酸）ＨＯＣＨ2ＣＨ2Ｎ［ＣＨ2ＰＯ（ＯＨ）2］2、ジエチレントリアミンペンタ（メチレンホスホン酸）（ＨＯ）2ＰＯＣＨ2Ｎ［ＣＨ2ＣＨ2Ｎ［ＣＨ2ＰＯ（ＯＨ）2］2］2、
【００９７】
ジエチレントリアミンペンタ（メチレンホスホネート），ナトリウム塩Ｃ9Ｈ(28-x)Ｎ3ＮａxＯ15Ｐ5（ｘ＝７）、ヘキサメチレンジアミン（テトラメチレンホスホネート），カリウム塩Ｃ10Ｈ(28-x)Ｎ2ＫxＯ12Ｐ4（ｘ＝６）、ビス（ヘキサメチレン）トリアミン（ペンタメチレンホスホン酸）（ＨＯ2）ＰＯＣＨ2Ｎ［（ＣＨ2）6Ｎ［ＣＨ2ＰＯ（ＯＨ）2］2］2。これらのアミノホスホネートは、通常、８個未満の炭素原子を有するアルキルまたはアルカリ性基を含有する。
【００９８】
商業的に入手できるホスホネートは、たとえばDEQUEST（登録商標）2010としてミズーリ州セントルイスのMonsanto Industrial Chemicals Co.から入手できる１−ヒドロキシエチリデン−１，１−ジホスホン酸、DEQUEST（登録商標）2000としてMonsantoから入手できるアミノ（トリ（メチレンホスホン酸））（Ｎ［ＣＨ2ＰＯ3Ｈ2］3）、DEQUEST（登録商標）2041としてMonsantoから入手できるエチレンジアミン［テトラ（メチレンホスホン酸）］を含めて、商品名DEQUEST（登録商標）下で販売されているもの、並びにBayhibit AMとしてペンシルベニア州ピッツバーグのMobay Chemical Corporationの無機化学薬品事業部から入手できる２−ホスホノブタン−１，２，４−トリカルボン酸、およびBriquest 301-50AすなわちAlbright & Wilsonからのアミノトリ（メチレンホスホン酸）（ＡＴＭＰ），５０％，低アンモニアとして入手できるアミノ［トリ（メチレンホスホン酸）］（ＡＴＭＰ）を含む。
【００９９】
ホスホン酸は、水溶性酸性塩の形態にて、特に、ナトリウムもしくはカリウムのようなアルカリ金属塩、アンモニウム塩、またはモノ、ジもしくはトリエタノールアミン塩のようなアルキロールが２から３個の炭素原子を有するアルキロールアミン塩の形態にて用いられ得る。所望される場合、個々のホスホン酸またはそれらの酸性塩の混合物もまた用いられ得る。中和されたまたはアルカリ性のホスホネート、あるいは当該混合物中に添加される前のホスホネートとアルカリ源との組合わせであって、ホスホネートが添加される時に中和反応により発生される熱またはガスがほとんどまたは全くないような組合わせが好ましい。
【０１００】
ホスフェート
本組成物および方法においてビルダーとして用いるためのホスフェートは、活性酸素化合物と共に用いるのに適合し得るいかなるものも含む。適当なホスフェートは、汚れ分散性、洗浄力、水硬度の制御、等を本組成物に与え得る。ホスフェート含有の洗剤用ビルダーは、リン酸およびその塩、縮合またはポリホスフェートおよびそれらの塩、並びにアミノホスフェートおよびそれらの塩のようなホスフェートを含む。適当な縮合またはポリホスフェートは、トリポリホスフェート、ピロホスフェート、およびガラス質のポリマーメタホスフェート、並びにそれらの塩（アルカリ金属、アンモニウム、アルカノールアンモニウムおよび混合塩のような）を含む。かかる適当なホスフェートの例は、ナトリウムまたはカリウムのオルトリン酸塩、ナトリウムまたはカリウムのピロリン酸塩、ナトリウムまたはカリウムのトリポリリン酸塩、ヘキサメタリン酸ナトリウム、等を含む。適当なアミノホスフェートは、ニトリロトリスメチレンホスフェート、および８個未満の炭素原子を有するアルキルまたはアルカリ性基を有する他のアミノホスフェートを含む。かかるホスフェートは、該組成物中に存在する遊離水を水和水として固定することにより、該組成物の固化を限られた程度援助し得る。
【０１０１】
好ましくは、清浄用組成物はビルダーとして縮合ホスフェートを含み、そして縮合ホスフェートはトリポリリン酸ナトリウム、トリポリリン酸カリウム、トリポリリン酸マグネシウム、ピロリン酸ナトリウム、ピロリン酸カリウム、ヘキサメタリン酸ナトリウム、ヘキサメタリン酸カリウムまたはそれらの混合物を含む。好ましい縮合ホスフェートは、トリポリリン酸ナトリウムを含む。
【０１０２】
アミノカルボキシレート
本組成物および方法においてビルダーとして用いるためのアミノカルボキシレートは、活性酸素化合物と共に用いるのに適合し得るいかなるものも含む。アミノカルボキシレートビルダーまたは金属イオン封鎖剤は、これらの化合物の酸および／または塩形態（たとえば、アルカリ金属塩）を含む。アミノカルボキシレートの例は、アミノアセテートおよびそれらの塩を含む。適当なアミノアセテートは、次のものを含む。すなわち、Ｎ−ヒドロキシエチルアミノジ酢酸、ヒドロキシエチレンジアミン四酢酸、ニトリロトリ酢酸（ＮＴＡ）、エチレンジアミン四酢酸（ＥＤＴＡ）、Ｎ−ヒドロキシエチル−エチレンジアミン三酢酸（ＨＥＤＴＡ）、ジエチレントリアミン五酢酸（ＤＴＰＡ）、およびアラニン−Ｎ，Ｎ−ジ酢酸、ｎ−ヒドロキシエチルイミノジ酢酸、等、それらのアルカリ金属塩、並びにそれらの混合物。
【０１０３】
ポリカルボキシレート
本組成物および方法においてビルダーとして用いるためのポリカルボキシレートは、活性酸素化合物と共に用いるのに適合し得るいかなるものも含む。本明細書において用いられる場合、ポリカルボキシレートは、酸および塩形態のどちらかまたは両方を指す。好ましいポリカルボキシレートは、イミノジコハク酸（ＩＤＳ）、ナトリウムポリアクリレート、クエン酸、グルコン酸、シュウ酸、それらの塩、それらの混合物、等を含む。更なる好ましいポリカルボキシレートは、クエン酸またはクエン酸塩タイプのキレート化剤、ポリマーポリカルボキシレート、アクリル酸またはポリアクリル酸タイプの安定剤を含む。好ましいポリカルボキシレートは、クエン酸またはクエン酸塩（たとえば、アルカリ金属塩）を含む。
【０１０４】
ビルダーとして適合し得る低分子量ポリカルボキシレートの例は、次のものを含む。すなわち、コハク酸、プロパントリカルボン酸、ブタンテトラカルボン酸、シクロペンタンテトラカルボン酸並びにＣ2〜Ｃ16アルキルまたはアルケニル基を有するアルキルおよびアルケニルコハク酸のような、Ｃ4〜Ｃ20ジ、トリおよびテトラカルボン酸；リンゴ酸、酒石酸、グルコン酸、グルタル酸、クエン酸、ラクトビオン酸並びにショ糖モノ、ジおよびトリカルボン酸のような、Ｃ4〜Ｃ20ヒドロキシカルボン酸；ニトリロトリ酢酸、メチルグリシン二酢酸、アラニン二酢酸、エチレンジアミン四酢酸およびセリン二酢酸のようなアミノポリカルボキシレート。
【０１０５】
ビルダーとして適合し得るオリゴマーまたはポリマーポリカルボキシレートの例は、次のものを含む。すなわち、たとえば欧州特許出願公開第４５１，５０８号明細書および欧州特許出願公開第３９６，３０３号明細書に記載されているような、オリゴマレイン酸；不飽和Ｃ4〜Ｃ8ジカルボン酸のコおよびターポリマー、しかして存在し得るあり得るコモノマーは、９５重量％までの量の群（ｉ）からの、６０重量％までの量の群（ｉｉ）からの、２０重量％までの量の群（ｉｉｉ）からのモノエチレン不飽和モノマーである。適当な不飽和Ｃ4〜Ｃ8ジカルボン酸の例は、マレイン酸、フマル酸、イタコン酸およびシトラコン酸を含む。
【０１０６】
群（ｉ）は、アクリル酸、メタクリル酸、クロトン酸およびビニル酢酸のようなモノエチレン不飽和Ｃ3〜Ｃ8モノカルボン酸、たとえばアクリル酸およびメタクリル酸を含む。群（ｉｉ）は、モノエチレン不飽和Ｃ2〜Ｃ22オレフィン、Ｃ1〜Ｃ8アルキル基を有するビニルアルキルエーテル、スチレン、Ｃ1〜Ｃ8カルボン酸のビニルエステル、（メト）アクリルアミドおよびビニルピロリドン、たとえばＣ2〜Ｃ6オレフィン、Ｃ1〜Ｃ4アルキル基を有するビニルアルキルエーテル、ビニルアセテートおよびビニルプロピオネートを含む。群（ｉｉｉ）は、Ｃ1〜Ｃ8アルコールの（メト）アクリル酸エステル、（メト）アクリルニトリル、Ｃ1〜Ｃ8アミンの（メト）アクリルアミド、Ｎ−ビニルホルムアミドおよびビニルイミダゾールを含む。
【０１０７】
ポリマーが群（ｉｉ）のモノマーとしてビニルエステルを含有する場合、これらはまた、ビニルアルコール構造単位に部分的にまたは完全に加水分解され得る。適当なコおよびターポリマーは、たとえば、米国特許第３，８８７，８０６号明細書および独国特許出願公開第４３ １３ ９０９号明細書に開示されている。
【０１０８】
ジカルボン酸の適当なコポリマーは、重量により１０：９０から９５：５の比率のマレイン酸とアクリル酸のコポリマーを含む。これらは、１０，０００から１５０，０００の分子量と共に３０：７０から９０：１０の比率を有し得る。マレイン酸、アクリル酸およびＣ1〜Ｃ3カルボン酸のビニルエステルのターポリマーは、たとえば重量により２０：８０から８０：２０の範囲のアクリル酸対ビニルエステルの比率で、重量により１０（マレイン酸）：９０（アクリル酸＋ビニルエステル）から９５（マレイン酸）：５（アクリル酸＋ビニルエステル）の比率でもって用いられ得る。更なる例として、マレイン酸、アクリル酸およびビニルアセテートまたはビニルプロピオネートのターポリマーは、たとえば重量により３０：７０から７０：３０の範囲のアクリル酸対ビニルエステルの比率で、重量により２０（マレイン酸）：８０（アクリル酸＋ビニルエステル）から９０（マレイン酸）：１０（アクリル酸＋ビニルエステル）の比率を有し得る。更なるマレイン酸とＣ2〜Ｃ8オレフィンとのコポリマーは、４０：６０から８０：２０のモル比を有し、たとえばモル比５０：５０のマレイン酸とエチレン、プロピレンまたはイソブテンとのコポリマーである。
【０１０９】
低分子量炭水化物または水素化炭水化物上の不飽和カルボン酸のグラフトポリマーは、ポリカルボキシレートビルダーとして用いられ得る。かかるグラフトポリマーは、たとえば、米国特許第５，２２７，４４６号明細書、独国特許出願公開第４４ １５ ６２３号明細書、独国特許出願公開第４３ １３ ９０９号明細書に記載されている。グラフトポリマー用の適当な不飽和カルボン酸は、たとえば、マレイン酸、フマル酸、イタコン酸、シトラコン酸、アクリル酸、メタクリル酸、クロトン酸およびビニル酢酸、およびアクリル酸とマレイン酸の混合物を含み、しかしてそれらは、グラフトされるべき成分の重量の４０から９５％の量にてグラフトされる。加えて、グラフトされるべき成分を基準として３０重量％までの他のモノエチレン不飽和モノマーが変性のために存在することが可能である。適当な変性用モノマーは、上記の群（ｉｉ）および（ｉｉｉ）のモノマーを含む。
【０１１０】
適当なグラフト基剤は、酸によりまたは酵素により分解されたデンプン、イヌリンまたはセルロースのような分解ポリサッカライド、マンニトール、ソルビトール、アミノソルビトールおよびグルカミンのような還元（水素化または還元アミノ化）分解ポリサッカライド、並びにポリエチレングリコール、エチレンオキシド／プロピレンオキシドまたはエチレンオキシド／ブチレンオキシドブロックコポリマー、エチレンオキシド／プロピレンオキシドまたはエチレンオキシド／ブチレンオキシドランダムコポリマー、アルコキシル化一価または多価Ｃ1〜Ｃ22アルコールのような５，０００までの分子量を有するポリアルキレングリコール（米国特許第４，７４６，４５６号明細書参照）を含む。
【０１１１】
適当なグラフトポリマーは、グラフト重合においてグラフト成分を基準として２０から８０重量％のモノマーを用いて、グラフトされた分解または分解還元デンプンおよびグラフトされたポリエチレンオキシドを含む。これらは、重量により９０：１０から１０：９０の比率のマレイン酸とアクリル酸のグラフト用混合物を含み得る。
【０１１２】
ビルダーとして適合し得るポリグリオキシル酸は、たとえば、欧州特許第００１，００４号明細書、米国特許第５，３９９，２８６号明細書、独国特許出願公開第４１ ０６ ３５５号明細書および欧州特許出願公開第６５６，９１４号明細書に記載されている。ポリグリオキシル酸の末端基は、様々な構造を有し得る。
【０１１３】
ビルダーとして適合し得るポリアミドカルボン酸および変性ポリアミドカルボン酸は、たとえば、欧州特許出願公開第４５４，１２６号明細書、欧州特許第５１１，０３７号明細書、国際公開第９４／０１４８６号パンフレットおよび欧州特許出願公開第５８１，４５２号明細書に開示されている。
【０１１４】
更なる適当なビルダーは、ポリアスパラギン酸、またはアスパラギン酸と他のアミノ酸、Ｃ4〜Ｃ25モノもしくはジカルボン酸および／またはＣ4〜Ｃ25モノもしくはジアミンとの縮合物を含む。リン含有酸中で製造されたおよびＣ6〜Ｃ22モノもしくはジカルボン酸でまたはＣ6〜Ｃ22モノもしくはジアミンで変性されたポリアスパラギン酸が、特に好ましく用いられる。
【０１１５】
有機共ビルダーとして適合し得るところのクエン酸とヒドロキシカルボン酸またはポリヒドロキシ化合物との縮合生成物は、たとえば、国際公開第９３／２２３６２号パンフレットおよび国際公開第９２／１６４９３号パンフレットに開示されている。このタイプのカルボキシル含有縮合物は、通常、１０，０００まで好ましくは５，０００までの分子量を有する。
【０１１６】
本発明の或る具体的態様において用いられ得るポリマーポリカルボキシレートは、たとえば、ポリアクリル酸、マレイン酸／オレフィンコポリマー、アクリル酸／マレイン酸コポリマー、ポリメタクリル酸、アクリル酸−メタクリル酸コポリマー、加水分解ポリアクリルアミド、加水分解ポリメタクリルアミド、加水分解ポリアミド−メタクリルアミドコポリマー、加水分解ポリアクリロニトリル、加水分解ポリメタクリロニトリル、加水分解アクリロニトリル−メタクリロニトリルコポリマー、等を含む。
【０１１７】
無機ビルダー
本組成物および方法において用いるための無機ビルダーは、活性酸素化合物と共に用いるのに適合し得るいかなるものも含む。適当な無機ビルダーは、ケイ酸塩、炭酸塩、硫酸塩（塩またはそれらの酸形態）、それらの混合物、等を含む。好ましいケイ酸塩は、ゼオライトおよびアルミノケイ酸塩（アルミノケイ酸ナトリウム（ＳＡＳ）のような）を含む。好ましい炭酸塩は、アルカリ金属の炭酸塩、重炭酸塩および／またはセスキ炭酸塩のようなアルカリ金属塩を含む。好ましくは、本発明の組成物および方法は、アルカリ金属炭酸塩を含むビルダーを含む。
【０１１８】
ビルダーを含む組成物
好ましくは、清浄用組成物は、約１〜９９ｗｔ％、好ましくは約１０〜８０ｗｔ％、好ましくは約１５〜６５ｗｔ％の１種またはそれ以上のビルダー、たとえば１種またはそれ以上ビルダー、キレート化剤または金属イオン封鎖剤を含む。
【０１１９】
或る具体的態様において、清浄用組成物は、約１０から約８０ｗｔ％のビルダー、約１０から約４０ｗｔ％のビルダー、約１０から約２０ｗｔ％のビルダー、約１５から約５５ｗｔ％のビルダー、約１５から約４５ｗｔ％のビルダー、約１５から約２５ｗｔ％のビルダー、約２０から約３５ｗｔ％のビルダー、約２０から約３０ｗｔ％のビルダー、約２５から約３５ｗｔ％のビルダー、約２５から約３０ｗｔ％のビルダー、約３０から約４０ｗｔ％のビルダー、約５から約３０ｗｔ％のビルダーまたは約５５から約９５ｗｔ％のビルダーを含む。
【０１２０】
或る具体的態様において、清浄用組成物は、約２０から約６０ｗｔ％のビルダー、約２０から約４０ｗｔ％のビルダー、約２０から約３５ｗｔ％のビルダー、約２０から約３０ｗｔ％のビルダー、約２５から約３５ｗｔ％のビルダー、約２５から約３０ｗｔ％のビルダー、約３０から約４０ｗｔ％のビルダー、約１８ｗｔ％のビルダーまたは約２０ｗｔ％のビルダーを含む。
【０１２１】
或る具体的態様において、清浄用組成物は、約５から約６０ｗｔ％のビルダー、約１０から約５０ｗｔ％のビルダー、約１０から約４０ｗｔ％のビルダー、約１５から約４０ｗｔ％のビルダー、約２０から約２５ｗｔ％のビルダーまたは約２２ｗｔ％のビルダーを含む。或る具体的態様において、かかる組成物中のビルダーは、約５から約９５ｗｔ％のポリカルボン酸（たとえば、クエン酸）、約４０から約９０ｗｔ％のポリカルボン酸（たとえば、クエン酸）、約４０から約７０ｗｔ％のポリカルボン酸（たとえば、クエン酸）または約６０ｗｔ％のポリカルボン酸（たとえば、クエン酸）を含む。或る具体的態様において、かかる組成物中のビルダーは、約５から約９５ｗｔ％のアミノカルボキシレート（たとえば、ＥＤＴＡ）、約１０から約４０ｗｔ％のアミノカルボキシレート（たとえば、ＥＤＴＡ）、約３０から約６０ｗｔ％のアミノカルボキシレート（たとえば、ＥＤＴＡ）または約４０ｗｔ％のアミノカルボキシレート（たとえば、ＥＤＴＡ）を含む。
【０１２２】
或る具体的態様において、清浄用組成物は、下限として約５、約４０または約６０ｗｔ％のポリカルボン酸（たとえば、クエン酸）から約６０、約７０、約９０または約９５ｗｔ％の上限までのポリカルボン酸（たとえば、クエン酸）、あるいは約により修飾されないこれらの端点の各々を含む。或る具体的態様において、清浄用組成物は、下限として約５、約１０、約３０または約４０ｗｔ％のアミノカルボキシレート（たとえば、ＥＤＴＡ）から約４０、約６０または約９５ｗｔ％の上限までのアミノカルボキシレート（たとえば、ＥＤＴＡ）、あるいは約により修飾されないこれらの端点の各々を含む。
【０１２３】
或る具体的態様において、清浄用組成物は、下限として約５、約１０、約１５、約２０、約３０、約４０、約５０、約６０または約７０ｗｔ％のビルダーから約２０、約２５、約３０、約４０、約５０、約６０、約７０、約８０または約９０ｗｔ％の上限までのビルダー、あるいは約により修飾されないこれらの端点の各々を含む。或る具体的態様において、清浄用組成物は、約１０、約１５、約２０、約２５、約３０、約３５、約４０、約４５、約５０、約６５または約７０ｗｔ％のビルダー、あるいは約により修飾されないこれらの量のいずれかを含む。
【０１２４】
水
本発明のまたは本発明の方法において用いられる固体（たとえば、粉末）または集塊組成物は、水を含み得る。好ましくは、固体（たとえば、粉末）または集塊組成物は、０から約１０ｗｔ％のみの水を含む。水のかかる低濃度は、該組成物の活性酸素成分の安定化を維持するのを援助し得ると信じられる。好ましくは、固体（たとえば、粉末）または集塊組成物は、該組成物の成分の一部を形成する水のみを含有し、すなわち、該組成物はいかなる添加水も含まない。好ましくは、固体（たとえば、粉末）または集塊組成物は実質的に水を含まず、すなわち、該組成物は約１ｗｔ％未満の水を含む。
【０１２５】
添加剤
本発明のまたは本発明において用いられる固体（たとえば、粉末）または集塊清浄用組成物は、更に、たとえば固体形態の該組成物を硬化するためにまたは水溶液中に分散もしくは溶解される場合に溶解を援助するために（たとえば、特定の用途のために）、有益な性質を与える追加の機能性物質または添加剤を含み得る。慣用添加剤の例は、各々１種またはそれ以上の塩または追加の塩、アルカリ度源、酸度源、ｐＨ緩衝剤、硬化剤、脱起泡剤、溶解性調節剤、洗剤用充填剤、水軟化剤、消泡剤、再汚染防止剤、沈殿閾剤または系、抗微生物剤、美的向上剤（すなわち、染料、着臭剤、香料）、蛍光増白剤、漂白剤、酵素、起泡剤、活性酸素化合物用の活性剤、タブレット溶解助剤、他のかかる添加剤または機能性成分、等、およびそれらの混合物を含む。助剤および他の添加剤成分は、製造される組成物のタイプおよび該組成物の予定最終用途に応じて変動する。
【０１２６】
好ましくは、本組成物は、添加剤として、１種またはそれ以上のアルカリ度源、酸度源、清浄性酵素、硬化剤、溶解性調節剤、洗剤用充填剤、消泡剤、抗微生物剤、沈殿閾剤もしくは系、美的向上剤、起泡剤、活性酸素化合物用の活性剤、またはそれらの組合わせを含む。好ましくは、該組成物は、添加剤として、１種またはそれ以上のアルカリ度源、清浄性酵素、抗微生物剤、活性酸素化合物用の活性剤、またはそれらの混合物を含む。
【０１２７】
好ましくは、清浄用組成物は、非イオン性界面活性剤、ホスホネート、縮合ホスフェート、過酸化水素付加物、Ｃ１〜Ｃ６カルボン酸、アルカリ金属水素炭酸塩、アルカリ金属水素リン酸塩、アルカリ金属水素硫酸塩、またはそれらの組合わせを含む。好ましくは、清浄用組成物は、非イオン性界面活性剤、アミノカルボキシレート、過酸化水素付加物、Ｃ１〜Ｃ６カルボン酸、アルカリ金属水素炭酸塩、アルカリ金属水素リン酸塩、アルカリ金属水素硫酸塩、またはそれらの組合わせを含む。
【０１２８】
塩
清浄用組成物のいくつかの具体的態様は、随意に、塩または１種もしくはそれ以上の追加の塩、たとえばアルカリ金属塩を含む。該アルカリ金属塩は、基材の清浄を高めるおよび該組成物の汚れ除去性能を改善するようにアルカリ度源として作用し得る。
【０１２９】
加えて、いくつかの具体的態様において、アルカリ金属塩は、アルカリ金属塩と、ホスホネート、アミノカルボン酸またはそれらの混合物を含む有機の金属イオン封鎖剤と、水とを含む追加のバインダー複合物または結合剤の形成に備え得る。我々は、かかるバインダー複合物を「Ｅ−形態」水和物と称する。かかるＥ−形態水和物は、次の米国特許明細書および特許出願明細書に詳細に論考されている。すなわち、米国特許第６，１７７，３９２号明細書（Ｎｏ．６，１７７，３９２Ｂ１）、第６，１５０，３２４号明細書（Ｎｏ．６，１５０，３２４）および第６，１５６，７１５号明細書（Ｎｏ．６，１５６，７１５）並びに第６，２５８，７６５号明細書（Ｎｏ．６，２５８，７６５）（それらの各々は、参照することにより本明細書に組み込まれる）。結合剤は、有機の金属イオン封鎖剤および活性酸素化合物を含み得る。好ましくは、結合剤は、約１２０℃から１６０℃の範囲の融解転移温度を有する。
【０１３０】
アルカリ金属塩のいくつかの例は、アルカリ金属の炭酸塩、ケイ酸塩、リン酸塩、ホスホン酸塩、硫酸塩、ホウ酸塩、等、およびそれらの混合物を含む。アルカリ金属炭酸塩が一層好ましく、そして好ましい炭酸塩のいくつかの例は、ナトリウムまたはカリウムの炭酸塩、重炭酸塩、セスキ炭酸塩、それらの混合物、等のようなアルカリ金属炭酸塩、好ましくは炭酸ナトリウム、炭酸カリウムまたはそれらの混合物を含む。
【０１３１】
ある具体的態様において、活性酸素化合物と塩は、当該混合物への添加前において、単一の予備形成成分を含む。好ましくは、かかる具体的態様において、活性酸素化合物および塩は一緒に、過酸化水素付加物を含む。しかしながら、かかる具体的態様の好ましい変型において、塩の少なくとも一部は、当該混合物への添加前において、活性酸素化合物とは別個の成分である。
【０１３２】
本組成物は、０から約８０ｗｔ％好ましくは約１５から約７０ｗｔ％の範囲のアルカリ金属塩、最も好ましくは約２０から約６０ｗｔ％を含み得る。
【０１３３】
加えて、いくつかの具体的態様において、塩たとえば酸性塩が、ｐＨ調節剤、酸度の源、起泡助剤、または他の同様な用途として含められ得る。かかる用途にて用いるための塩のいくつかの例は、重硫酸ナトリウム、酢酸ナトリウム、重炭酸ナトリウム、クエン酸塩、等、およびそれらの混合物を含む。本組成物は、０．１から５０重量％の範囲にてかかる物質を含み得る。ｐＨ調節剤、酸度の源、起泡助剤、等として作用する塩以外の薬剤もまた本発明に関して用いられ得る、ということが理解されるべきである。
【０１３４】
アルカリ度源
本発明のまたは本発明において用いられる清浄用組成物は、基材の清浄を高めるおよび該組成物の汚れ除去性能を改善するために、有効量の１種またはそれ以上の無機洗剤またはアルカリ源を含み得る。上記に論考されたように、アルカリ金属炭酸塩のようなアルカリ金属塩を含む具体的態様において、アルカリ金属塩は、アルカリ度源として作用し得る。いくつかの具体的態様において、活性酸素化合物もまたアルカリ度の源として作用し得る、ということも理解されるべきである。該組成物は、活性酸素化合物とは別個の第２のアルカリ源を含み得、そしてこの第２の源は、総組成物の約０から７５ｗｔ％好ましくは約０．１から７０ｗｔ％、いくつかの具体的態様においては一層好ましくは１から２５ｗｔ％しかし他のいくつかの具体的態様においては一層好ましくは約２０から６０ｗｔ％または３０から７０ｗｔ％を含み得る。
【０１３５】
追加のアルカリ度源は、たとえば、アルカリ金属の水酸化物またはケイ酸塩、等のような無機アルカリ度源を含み得る。適当なアルカリ金属水酸化物は、たとえば、ナトリウムまたはカリウムの水酸化物を含む。アルカリ金属水酸化物は、たとえば固体ビーズ、粉末もしくは他の固体形態、水溶液中に溶解された形態、またはそれらの組合わせの形態を含めて、様々な形態にて本組成物に添加され得る。アルカリ金属水酸化物は、約１２〜１００米国メッシュの範囲の粒子サイズの混合物を有する小球状固体もしくはビーズの形態の固体としてまたは水溶液としてたとえば５０ｗｔ％溶液および７３ｗｔ％溶液として、商業的に入手できる。
【０１３６】
有用なアルカリ金属ケイ酸塩の例は、ナトリウムまたはカリウムのケイ酸塩（１：２．４から５：１のＭ2Ｏ：ＳｉＯ2の比率を有する（Ｍはアルカリ金属を表す））またはメタケイ酸塩を含む。
【０１３７】
アルカリ度の他の源は、ナトリウムまたはカリウムのホウ酸塩、等のような金属ホウ酸塩、エタノールアミンおよびアミン、並びに他の同様なアルカリ源を含む。様々な公知のアルカリ度源のいずれも、やはり本発明に関して用いられ得る。
【０１３８】
抗微生物剤
本発明のまたは本発明において用いられる組成物は、添加抗微生物剤を含有し得る。この添加抗微生物剤は、固体（たとえば、粉末）もしくは集塊のカーペットもしくは椅子張り類清浄用組成物中にまたは希釈用溶媒中に分散または溶解され得る。適当な追加の抗微生物剤は、スルホン酸（たとえば、ドデシルベンゼンスルホン酸）；ヨード化合物または活性ハロゲン化合物（たとえば、ヨウ素、インターハライド（「ハロゲン間ハロゲン化物」）、ポリハロゲン化物、金属次亜塩素酸塩、次亜塩素酸およびそのアルカリ金属塩、次亜臭素酸およびそのアルカリ金属塩、クロロおよびブロモヒダントイン、亜塩素酸ナトリウム、トリクロロイソシアヌル酸ナトリウム、ジクロロイソシアン酸ナトリウム（無水または二水和物）、ヨウ素−ポリ（ビニルピロリジノン）複合体および２−ブロモ−２−ニトロプロパン−１，３−ジオール）；追加の活性酸素化合物（たとえば、ベンゾイルペルオキシド、アルキルベンゾイルペルオキシド、オゾン、一重項酸素発生物質を含めて有機過酸化物）；フェノール誘導体（たとえば、ｏ−フェニルフェノール、ｏ−ベンジル−ｐ−クロロフェノール、ｔｅｒｔ−アミルフェノール、Ｃ1〜Ｃ6アルキルヒドロキシベンゾエート、ペンタクロロフェノール、オルトフェニルフェノールおよびｐ−クロロ−ｍ−キシレノール）；フェニルもしくはベンジルベンゾエート；または金属誘導体、アミン、アルカノールアミン、ニトロ誘導体、アナリド（analides）、有機硫黄および硫黄−窒素化合物（たとえば、ヘキサヒドロ−１，３，５−トリス（２−ヒドロキシエチル）−ｓ−トリアジン、ジチオカルバメート（ナトリウムジメチルジチオカルバメートのような））のような他の抗微生物剤；あるいはかかる抗微生物剤の混合物を含む。典型的には、添加抗微生物剤は、抗微生物活性の所望度を与えるのに十分な量にて用いられる。
【０１３９】
フェニルまたはベンジルベンゾエートはまた、イエダニのようなカーペットまたは椅子張り類に生息する微小虫に対する薬剤として、本発明のまたは本発明において用いられる組成物中に含められ得る。
【０１４０】
かかる随意の追加の抗微生物剤を含有する本発明のまたは本発明において用いられる組成物は、典型的には、追加の抗微生物剤のみを含有する比較水溶液または分散体より実質的に大きい抗微生物効力を有する。本発明のまたは本発明において用いられる固体（たとえば、粉末）または集塊組成物中に存在する場合、追加の抗微生物剤は、好ましくは組成物の０．０１から約３０ｗｔ％好ましくは０．０５から約１０ｗｔ％最も好ましくは約０．１から約５ｗｔ％である。使用溶液中において、追加の抗微生物剤は、好ましくは組成物の０．００１から約５ｗｔ％好ましくは０．０１から約２ｗｔ％および好ましくは０．０５から約０．５ｗｔ％である。いくつかの具体的態様において、ＴＡＥＤのような抗微生物成分は、組成物の０．００１から７５ｗｔ％好ましくは０．０１から約２０ｗｔ％および一層好ましくは組成物の０．０５から１０ｗｔ％の範囲にて含められ得る。
【０１４１】
使用に際して、抗微生物剤は典型的には固体（たとえば、粉末）または集塊の機能性物質に形成され、しかしてこの機能性物質は、随意にたとえば水性流を用いて、希釈および分与された時に水性の消毒剤または衛生化剤組成物を形成し、そしてこの組成物は様々な表面と接触されて、微生物母集団の一部の発育の阻止または致死をもたらし得る。微生物母集団の３ｌｏｇの減少が、衛生化剤組成物をもたらすことになる。たとえば安定性を改善するために、抗微生物剤はカプセル化され得る。
【０１４２】
活性剤
いくつかの具体的態様において、本組成物の抗微生物活性または漂白活性はある物質の添加により高められ得、しかして該物質は、該組成物が使用に置かれた時に活性酸素と反応して活性化成分を形成する。たとえば、いくつかの具体的態様において、過酸または過酸塩が形成される。たとえば、いくつかの具体的態様において、活性酸素と反応して過酸または過酸塩を形成させるために、テトラアセチルエチレンジアミンが本組成物内に含められ得、しかして該過酸または過酸塩は抗微生物剤として作用し、または染みの向上漂白を与え得る。活性酸素用活性剤の他の例は、遷移金属およびそれらの化合物、カルボキシル、ニトリルもしくはエステル部分を含有する化合物、または当該技術において知られた他のかかる化合物を含む。好ましい活性剤は、テトラアセチルエチレンジアミン、モリブデン含有化合物、ポリカルボン酸またはその塩もしくはエステル（たとえば、ジデカン酸）、スルホン化または硫酸化カルボン酸またはその塩もしくはエステル（たとえば、フェノールのスルホン酸のノニルエステル）、あるいはそれらの混合物を含む。ある具体的態様において、活性剤は、テトラアセチルエチレンジアミン；遷移金属；カルボキシル、ニトリル、アミンまたはエステル部分を含む化合物；あるいはそれらの混合物を含む。
【０１４３】
いくつかの具体的態様において、活性剤成分は、本組成物の０．００１から７５ｗｔ％好ましくは０．０１から２０ｗｔ％および一層好ましくは本組成物の０．０５から１０ｗｔ％の範囲にて含められ得る。
【０１４４】
ある具体的態様において、活性酸素化合物用の活性剤は、活性酸素と化合して抗微生物剤を形成する。
【０１４５】
ある具体的態様において、本組成物は固体ブロックを含み、そして活性酸素用の活性剤物質が該固体ブロックと一緒にされる。ある固体清浄用組成物を別のものと一緒にするための様々な方法のいずれかにより、活性剤は固体ブロックと一緒にされ得る。たとえば、活性剤は、固体ブロックに結合され、くっつけられ、接着剤付けされまたは別のやり方で付着される固体の形態にあり得る。その代わりに、固体活性剤は、ブロックの周りにておよびブロックを包んで形成され得る。更なる例として、固体活性剤は、プラスチックまたは収縮ラップもしくはフィルムによるように、清浄用組成物用の容器またはパッケージにより固体ブロックと一緒にされ得る。
【０１４６】
漂白剤
基材を薄色にするまたは白くするために本発明の処方物において用いるための漂白剤は、清浄過程中に典型的に遭遇される条件下でＣｌ2、Ｂｒ2、Ｉ2、ＣｌＯ2、ＢｒＯ2、ＩＯ2、−ＯＣｌ-および／または−ＯＩ-のような活性ハロゲン種を遊離することの可能な漂白性化合物を含む。本清浄用組成物において用いるための適当な漂白剤は、たとえば、亜塩素酸塩、次亜塩素酸塩、クロラミンのような塩素含有化合物を含む。好ましいハロゲン放出性化合物は、アルカリ金属ジクロロイソシアヌル酸塩、塩素化リン酸三ナトリウム、アルカリ金属次亜塩素酸塩、アルカリ金属亜塩素酸塩、モノクロラミンおよびジクロラミン、等、並びにそれらの混合物を含む。該組成物中の塩素源の安定性を高めるために、カプセル化塩素源もまた用いられ得る（たとえば米国特許第４，６１８，９１４号明細書および第４，８３０，７７３号明細書が参照され、しかしてそれらの開示は参照することにより本明細書に組み込まれる）。漂白剤はまた、上記に論考されたようなテトラアセチルエチレンジアミン、等のような活性剤と共にまたは活性剤なしに、過酸化水素、過ホウ酸塩（たとえば、過ホウ酸ナトリウム一および四水和物）、炭酸ナトリウム過酸化水素化物、リン酸塩過酸化水素化物および一過硫酸カリウムのような追加の過酸素または活性酸素源であり得る。清浄用組成物は、上記の漂白剤（安定化活性酸素化合物から既に利用可能である）の小量しかし有効な追加の量、好ましくは約０．１〜１０ｗｔ％、好ましくは約１〜６ｗｔ％を含み得る。
【０１４７】
硬化剤／溶解性調節剤
本組成物は、小量のしかし有効量の第２の硬化剤、たとえば、ステアリン酸モノエタノールアミドもしくはラウリン酸ジエタノールアミドまたはアルキルアミド、等のようなアミド；ポリビニルアルコールまたはポリビニルエステル、等；ポリビニルアクリレート、等；微結晶セルロース、等；固体ポリエチレングリコールまたは固体ＥＯ／ＰＯブロックコポリマー、等；酸またはアルカリ処理法により水溶性にされたデンプン；加熱組成物に冷却時における固化性を付与する様々な無機物質、等を含み得る。かかる化合物はまた、清浄剤および／または他の活性成分が本固体組成物から長期間にわたって分与され得るように、使用中において水性媒質中における該組成物の溶解性を変動し得る。本組成物は、第２の硬化剤を約５〜２０ｗｔ％好ましくは約１０〜１５ｗｔ％の量にて含み得る。
【０１４８】
洗剤用充填剤
清浄用組成物は、有効量の１種またはそれ以上の洗剤用充填剤を含み得、しかして洗剤用充填剤は、それ自体で清浄剤として遂行しないが、しかし清浄剤と協力して該組成物の総合加工性を高める。本清浄用組成物において用いるのに適した充填剤の例は、硫酸ナトリウム、塩化ナトリウム、デンプン、糖、Ｃ1〜Ｃ10アルキレングリコール（プロピレングリコールのような）、等を含む。好ましくは、洗剤用充填剤は、約１〜２０ｗｔ％好ましくは約３〜１５ｗｔ％の量にて含められる。
【０１４９】
消泡剤
泡の安定性を下げるための有効量の消泡剤もまた、本清浄用組成物中に含められ得る。好ましくは、清浄用組成物は、約０．０００１〜５ｗｔ％の消泡剤、好ましくは約０．０１〜３ｗｔ％を含む。
【０１５０】
本組成物において用いるのに適した消泡剤の例は、ポリジメチルシロキサン中に分散されたシリカのようなシリコーン化合物、ＥＯ／ＰＯブロックコポリマー、アルコールアルコキシレート、脂肪酸アミド、炭化水素ロウ、脂肪酸、脂肪酸エステル、脂肪アルコール、脂肪酸セッケン、エトキシレート、鉱油、ポリエチレングリコールエステル、アルキルホスフェートエステル（モノステアリルホスフェートのような）、等を含む。消泡剤の論考は、たとえば、Martin等の米国特許第３，０４８，５４８号明細書、Brunelle等の米国特許第３，３３４，１４７号明細書およびRue等の米国特許第３，４４２，２４２号明細書（それらの開示は参照することにより本明細書に組み込まれる）に見られ得る。カーペットまたは椅子張り類清浄用の好ましい消泡剤は、ポリシロキサンを含む。
【０１５１】
蛍光増白剤
蛍光増白剤は、蛍光発光剤とも称され、布基材における黄味について光学的補償を与える。蛍光増白剤でもって、黄ばみは、範囲上黄色と同等な域に存在する蛍光増白剤から発せられた光により置き換えられる。蛍光増白剤により供給された紫から青の光はその箇所から反射された他の光と結合して、実質的に完全なまたは高められた輝く白色の外観を与える。この追加の光は、該増白剤により蛍光発光によって生成される。蛍光増白剤は２７５から４００ｎｍの紫外範囲における光を吸収し、そして４００〜５００ｎｍの紫外の青スペクトルにおける光を発する。
【０１５２】
蛍光増白剤群に属する蛍光化合物は、典型的には、しばしば縮合環系を含有するところの、芳香族または芳香族複素環式物質である。これらの化合物の重要な特徴は、芳香族環と連合された共役二重結合の非中断鎖の存在である。かかる共役二重結合の数は、置換基およびまた分子の蛍光部分の平面度に依存する。たいていの増白剤化合物は、スチルベンもしくは４，４′−ジアミノスチルベン、ビフェニル、５員複素環（トリアゾール、オキサゾール、イミダゾール、等）または６員複素環（クマリン、ナフタルアミド、トリアジン、等）の誘導体である。洗剤組成物において用いるための蛍光増白剤の選択は、洗剤のタイプ、洗剤組成物中に存在する他の成分の特質、洗浄水の温度、掻き混ぜの程度、および洗濯される物対槽の大きさの比率のような多数の因子に依存する。増白剤の選択はまた、清浄にされるべき物のタイプ、たとえば木綿、合成物質、等に依存する。たいていの洗濯用洗剤製品が様々な布を清浄にするために用いられるので、洗剤組成物は、様々な布について効果がある増白剤の混合物を含有すべきである。無論、かかる増白剤混合物の個々の成分は適合性がある、ということが必要である。
【０１５３】
本発明において有用な蛍光増白剤は、商業的に入手できる。本発明において有用であり得る商業用蛍光増白剤はサブグループに分類され得、しかしてサブグループは、スチルベン、ピラゾリン、クマリン、カルボン酸、メチンシアニン、ジベンゾチオフェン−５，５−ジオキシド、アゾール、５−および６員環複素環の誘導体、並びに他の種々多様の薬剤を含むが、しかし必ずしもそれらに制限されない。これらのタイプの増白剤の例は、「The Production and Application of Fluorescent Brightening Agents」，M.Zahradnik，John Wiley & Sons出版，ニューヨーク（１９８２）（その開示は、参照することにより本明細書に組み込まれる）に開示されている。
【０１５４】
本発明において有用であり得るスチルベン誘導体は、ビス（トリアジニル）アミノ−スチルベンの誘導体、スチルベンのビスアシルアミノ誘導体、スチルベンのトリアゾール誘導体、スチルベンのオキサジアゾール誘導体、スチルベンのオキサゾール誘導体、およびスチルベンのスチリル誘導体を含むが、しかし必ずしもそれらに制限されない。
【０１５５】
染料／着臭剤
様々な染料、着臭剤（香料を含めて）および他の美的向上剤もまた、本組成物中に含められ得る。たとえばダイレクトブルー８６（Miles）、ファスツソールブルー（Fastusol Blue）（Mobay Chemical Corp.）、アシッドオレンジ７（American Cyanamid）、ベーシックバイオレット１０（Sandoz）、アシッドエロー２３（GAF）、アシッドエロー１７（Sigma Chemical）、サップグリーン（Sap Green）（Keyston Analine and Chemical）、メタニルエロー（Keystone Analine and Chemical）、アシッドブルー９（Hilton Davis）、サンドランブルー（Sandolan Blue）／アシッドブルー１８２（Sandoz）、ヒソールファストレッド（Hisol Fast Red）（Capitol Color and Chemical）、フルオレセイン（Capitol Color and Chemical）、アシッドグリーン２５（Ciba-Geigy）、等のように、染料は該組成物の外観を変えるために含められ得る。
【０１５６】
本組成物中に含められ得るフラグランス（「芳香料」）または香料は、たとえば、シトロネロールのようなテルペノイド、アミルシンナムアルデヒドのようなアルデヒド、Ｃ１Ｓ−ジャスミンまたはジャスマールのようなジャスミン、バニリン、等を含む。
【０１５７】
水性媒質
諸成分は、随意に、混合物を達成するために、固化を援助するために、混合物を加工するため有効レベルの粘度を与えるために並びに排出中のおよび硬化時の所望量の堅固度および凝集度を有する加工組成物を与えるために、小量のしかし有効量の水性媒質（水のような）中で加工され得る。好ましい具体的態様において、水は加工用媒質として働き、また上記に記載されたような結合剤の一部も形成する。加工中の混合物は、典型的には、約０．２〜１０ｗｔ％の水性媒質、好ましくは約０．５〜９ｗｔ％を含む。
【０１５８】
組成物の加工、包装および分与
本組成物は、様々な公知方法により固体形態に加工され得る。たとえば、固体ブロックは、次の米国特許明細書および特許出願明細書に詳細に論考された方法により作られ得る。すなわち、米国特許第６，１７７，３９２号明細書（Ｎｏ．６，１７７，３９２Ｂ１）、第６，１５０，３２４号明細書（Ｎｏ．６，１５０，３２４）および第６，１５６，７１５号明細書（Ｎｏ．６，１５６，７１５）並びに米国特許出願公開第０８／９８９，８２４号明細書（それらの各々は、参照することにより本明細書に組み込まれる）。粉末状組成物は、組成物の諸成分の単純混合により作製され得る。集塊もまた、様々な周知方法により作製され得る。
【０１５９】
本組成物は、たとえば単純なボトルもしくはジャー、単位用量タブレットもしくはブロック、「テア・アンド・ポア（引裂き・注ぎ）」パウチまたは水溶性パケットのような、様々なタイプのパッケージまたは包装材料中に包装され得る。
【０１６０】
本組成物は、たとえば固体ブロックを水中に浸食させるまたは粉末もしくは集塊を水中に溶解させることによるような、様々な公知方法のいずれかにより分与され得る。
【０１６１】
カーペットまたは椅子張り類の清浄および衛生化方法
本組成物は、カーペット、ラッグ、並びに繊維、糸、布または他の繊維材料から作られた他の床敷物および／または椅子張り類を清浄にするおよび／または衛生的にするために用いられ得る。該組成物は、慣用の方法または装置が固体（たとえば、粉末）もしくは集塊の清浄用組成物または固体（たとえば、粉末）もしくは集塊の清浄用組成物から作製された液体の清浄用組成物を用い得る限り、慣用の方法または装置により清浄にされ得るいかなるカーペット、床敷物または椅子張り類をも清浄にするまたは衛生的にするために適合し得る。該組成物を施用することは、液体流またはミストをカーペットまたは椅子張り類上に向け、随意にカーペットまたは椅子張り類を擦りおよび／またはブラッシングしそして随意にカーペットまたは椅子張り類から組成物を除去する（たとえば、吸い取る、擦り取るまたは真空吸引することにより）ことにより成し遂げられまたは後続され得る。
【０１６２】
本発明によるカーペットまたは椅子張り類の清浄用組成物は、手でもってのカーペットまたは椅子張り類の清浄およびカーペットまたは椅子張り類清浄機械の両方について用いられ得る。カーペットまたは椅子張り類清浄機械について、固体（たとえば、粉末）または集塊組成物は、液体典型的には水と混合されて液体使用の組成物典型的には水性調製物を形成し得る。液体使用の組成物または水性調製物は、生成物の所望濃度を達成するように溶解または混合することにより形成され得る。典型的には、カーペットまたは椅子張り類清浄機械において用いられるべき組成物は、低起泡性であるように処方される。本発明の組成物は、様々なカーペットまたは椅子張り類清浄機械のいずれかと共に用いられ得る。たとえば、随意に使用組成物を加熱し、それをカーペットまたは椅子張り類上に吹き付け、随意にカーペットまたは椅子張り類をブラッシングし、そして真空吸引して過剰の液体を吸い上げるカーペットまたは椅子張り類清浄機械により、本使用組成物は施用され得る。その代わりに、本使用組成物は噴霧器で施用され、そして回転ブラシ型カーペットまたは椅子張り類清浄機械でカーペットまたは椅子張り類中に擦り込まれまたはブラッシングされ、そして過剰の液体が真空によりまたは吸取りにより除去され得る。
【０１６３】
本発明による固体（たとえば、粉末）または集塊組成物から作製された液体使用の組成物は、布、噴霧器、エアゾール缶、スポンジ、ブラシまたは別の機械もしくは電気装置（たとえば、エクストラクター（「吸引機」）、スチームクリーナー、等）を用いて、処理または施用されるべき域上に直接的に施用され得る。本発明の好ましい具体的態様において、液体使用の組成物は、様々な営利販売業者を通じて入手できるようなカーペット用吸引機を用いることにより、処理されるべき域に施用される。かかる吸引機は、処理されるべき域上に液体使用の組成物を吹き付けそして随意に表面をブラッシングし、そして表面から過剰の液体を真空によって吸引する。本発明の好ましい具体的態様において、液体使用の組成物は処理されるべき域に施用され、そして回転ボンネット型清浄機械を用いて表面が過剰の液体（随意に、後で真空吸引して吸い上げられる）と共に揺動される。好ましい具体的態様において、液体使用の組成物は表面上に吹き付けられ、次いで該表面は手でもって擦られまたはブラッシングされ、そして随意に過剰の液体は吸取りまたは真空により除去される。噴霧器は、引き金式に作動され、ポンプ式に作動され、電気式に作動され、または缶もしくは加圧器のような加圧ガスのいかなる源によっても作動され得る。典型的には、噴霧器は、処理されるべき域を均一に覆う。
【０１６４】
有利なことに、本組成物の清浄作用は、該組成物がカーペットまたは椅子張り類上に施用されるやいなや始まる。擦りおよび／またはブラッシングは、清浄過程に必要とされない。しかしながら、機械的作用は、液体使用の組成物を厚いカーペットまたは椅子張り類により速く浸透させるために有用である。しかしながら、好ましくは、高度に汚れたカーペットもしくは椅子張り類についてまたはカーペットの高通行量域において、カーペットまたは椅子張り類の清浄のための本方法は、清浄用組成物を施用し、そして次いで、随意に水の援助と共に、たとえばスポンジ、ブラシまたは他の機械もしくは電気装置でもって、多かれ少なかれ強く擦るおよび／またはブラッシングすることを含む。典型的には、擦りまたはブラッシングに費やされる時間は、平方メートル当たり１秒と数分の間にある。清浄用組成物の施用および擦りまたはブラッシング（もしあるなら）後、該組成物は、好ましくは過剰の液体または乾燥組成物をブラッシングして除去するおよび／または真空吸引して吸い上げることを含めて機械的手段により、カーペットまたは椅子張り類から除去される。
【０１６５】
本発明によるカーペットまたは椅子張り類清浄用組成物は、好ましくは、清浄にされるべきカーペットまたは椅子張り類に液体使用の組成物（たとえば、水性調製物）として施用される。典型的には、使用者は、固体（たとえば、粉末）または集塊のカーペットまたは椅子張り類清浄用組成物を水または別の担体と混合することにより、液体使用の組成物を作製する。使用組成物は、典型的には、約０．１から約２０ｗｔ％、約０．１から約１０ｗｔ％、約０．１から約５ｗｔ％または０．５から約３ｗｔ％の、固体（たとえば、粉末）または集塊のカーペットまたは椅子張り類清浄用組成物を含む。本発明によりカーペットまたは椅子張り類の清浄のために用いられる組成物の量または濃度は、染みまたは汚れのひどさに依存し得る。頑固な染みの場合において、１回より多い施用が、染みの完全除去を確実にするために用いられ得る。
【０１６６】
しかしながら、本発明における組成物は、重度に汚れた域について、しばしば、清浄にする前に該域を予備染み抜きまたは予備吹付けする必要がなく、染みを予備染み抜きし、次いで重度に汚れた域に予備吹付けし、次いで全表面を吸引するという現在の標準的慣行に対して労力の有意な低減をもたらすことになるということにおいて格別有用である。実際、本発明におけるカーペットまたは椅子張り類清浄用組成物は、汚れの拡散層からおよび／または一般水から生じる黒ずみをカーペットまたは椅子張り類から除去するために格別適合し得る。本方法の具体的態様において、固体（たとえば、粉末）または集塊のカーペットまたは椅子張り類清浄用の本組成物から作製された液体の清浄用組成物は、カーペット上で乾燥して乾燥残渣（粘着性残渣よりも汚れを引きつけしそうにない）になるように放置され得る。かかる粉末状残渣は、次いで、随意にカーペットまたは椅子張り類から機械的に除去され得る。
【０１６７】
別の具体的態様において、本組成物は、粒状または粉末組成物として施用される。カーペットまたは椅子張り類清浄用のかかる組成物は、処理されるべきカーペットまたは椅子張り類の域上に、たとえば該域の全面にわたって該組成物を散布するあるいはスポンジ、ブラシまたは他の機械もしくは電気装置を用いることにより（好ましくは、水の存在下で）、直接的に施用され得る。
【０１６８】
本発明による組成物を用いて処理されるべき域は、いかなる大きさでもあり得る。たとえば、本方法および組成物は、カーペットまたは椅子張り類の全部または一部を清浄にするために（個々の染みを除去するためにさえ）用いられ得る。
【０１６９】
本発明によれば、本発明における組成物は、カーペットまたは椅子張り類から染みおよび汚れ並びに臭いの除去のために用いられ得る。カーペットまたは椅子張り類から染みを除去することは、典型的には、染みの色を薄くすること、好ましくは人間の眼に見えないかまたはかすかにしか見えないように染みを薄色化することおよびその上薄色化された汚れを表面から機械的に除去することを含む。染みは、カーペット用増白剤（典型的には、過炭酸ナトリウムのようなまさに漂白剤である）と呼ばれる商業的に入手できる製品により漂白され得る。過炭酸ナトリウムは単独で、染みを漂白して色についてのその強さを低減することができる。しかしながら、染みを含む汚れは、本明細書に記載されているような漂白・清浄用組成物が用いられないならば、表面上のその場に残存する。染みを除去することは、本明細書に記載されたカーペットまたは椅子張り類清浄用組成物をカーペットまたは椅子張り類の染みが着いた域に、先に記載された方法を用いて施用することにより成し遂げられ得る。脱染みの量は、目視的に等級付けされる。
【０１７０】
加えて、本発明による組成物は、カーペットを衛生的にするおよびカーペットまたは椅子張り類におけるイエダニのような微小虫のレベルを低下するために用いられ得る。
【０１７１】
液体使用の組成物
本明細書において上記に記載されたように、液体使用の組成物は、固体（たとえば、粉末）または集塊の清浄用組成物を液体担体と混合することにより形成され得る。好ましくは、液体は水であり、そして液体使用の組成物は水性調製物である。液体使用の組成物は、約０．０１から約２０ｗｔ％の、固体（たとえば、粉末）または集塊のカーペットまたは椅子張り類清浄用組成物、好ましくは約０．１から約１０ｗｔ％の、固体（たとえば、粉末）または集塊のカーペットまたは椅子張り類清浄用組成物、好ましくは約０．１から約５ｗｔ％の、固体（たとえば、粉末）または集塊のカーペットまたは椅子張り類清浄用組成物、最も好ましくは約０．５から約３ｗｔ％の、固体（たとえば、粉末）または集塊のカーペットまたは椅子張り類清浄用組成物を含み得る。それ故、本発明のまたは本発明において用いられる液体使用の組成物は、固体または集塊組成物において用いられる成分の範囲または量にたとえば０．１％、０．５％、３％、５％、１０％、２０％または液体使用の組成物について列挙された範囲内のいずれかの値を掛けた範囲または量の該成分を含み得る。
【０１７２】
好ましい液体使用の組成物（たとえば、水性調製物）は、約０．１から約１０ｗｔ％の、固体または集塊の清浄用組成物を含み、また約７から約１１のｐＨを有する。好ましくは、ｐＨは、約９から約１０、好ましくは１０未満である。好ましい液体使用の組成物（たとえば、水性調製物）は、約０．２から約９ｗｔ％の活性酸素化合物、約０．００５から約１．１ｗｔ％の界面活性剤および約０．１から約６ｗｔ％のビルダーを含み、また約７から約１１のｐＨを有する。好ましくは、このｐＨは、約９から約１０、好ましくは１０未満である。好ましい液体使用の組成物（たとえば、水性調製物）は、約０．４から約０．９ｗｔ％の活性酸素化合物、約０．０１から約０，１１ｗｔ％の界面活性剤および約０．２から約０．６ｗｔ％のビルダーを含む。これらの好ましい液体使用の組成物は、約９から約１０、好ましくは１０未満のｐＨを有し得る。
【０１７３】
液体使用の組成物は、たとえば、約０．５から約０．８ｗｔ％の過炭酸ナトリウム、約０．０１から約０．２ｗｔ％のアルコールエトキシレート、アルキルベンゼンスルホン酸塩またはそれらの混合物、および０．２から約０．４ｗｔ％の非ホスフェートビルダーを、好ましくは水性調製物にて含み得る。或る具体的態様において、かかる水性調製物は、約７から約１１、約９から約１０、または１０未満のｐＨを有する。
【０１７４】
好ましくは、液体使用の組成物は、液体使用の組成物中の活性酸素化合物を安定化するのに効果があるビルダーの混合物を含む。すなわち、ビルダーの混合物は、かかるビルダーの組合わせおよび／または量を欠く液体使用の組成物より長い時間、活性酸素化合物がより高い濃度のままにある液体使用の組成物を形成する。好ましくは、本発明による液体使用の組成物は、活性酸素化合物の少なくとも約５０％が１２０°Ｆ（４８．９℃）において２４時間後液体組成物中に残存する程度まで安定化された活性酸素化合物を含む。好ましくは、活性酸素化合物の少なくとも約７０％が１２０°Ｆ（４８．９℃）において２４時間後液体組成物中に残存する。好ましくは、かかる安定化液体組成物は、約０．０１から約２０ｗｔ％の、固体（たとえば、粉末）の清浄用組成物を含む。
【０１７５】
本発明は、次の例を参照して一層よく理解され得る。これらの例は本発明の特定の具体的態様の代表であるよう意図されており、そして本発明の範囲を制限するようには意図されていない。
【０１７６】
実施例
実施例１−−本発明の方法および組成物を用いてのカーペットの清浄および衛生化
本発明による固体（たとえば、粉末）または集塊のカーペット清浄用組成物を処方し、そしてカーペットの衛生化および染みの除去について試験した。
【０１７７】
原料および方法
試験用の粉末状の衛生化用組成物を、達成すべき諸成分を一緒に混合することにより作製した。
【表６】
2005511821.tif 000013
次のカーペット用衛生化剤試験方法においてのように用いるために、この組成物１．７５グラムを水１００ｍＬ中に希釈した。
【０１７８】
カーペット用衛生化剤試験方法
環境保護局（米国）により規定された方法（たとえば、ＤＩＳ／ＴＳＳ−８／１９８１年４月１８日，効能データ要件，カーペット用衛生化剤（その開示は、参照することにより本明細書に組み込まれる）参照）を用いて、本発明による組成物をカーペット衛生化活性について試験した。
【０１７９】
この方法について、２つのタイプのカーペットの試料を用いた（一方はナイロン製そして他方はオレフィン製）。各タイプのカーペットを８×１２ｉｎ片に切断し、そして６枚の２×２インチの正方形片を、正方形片の中心に関して少なくとも４ｉｎ離して、カーペットの裏地側から切り取った。各カーペット試料のパイル表面をアルミホイルで覆い、そして該アルミホイルを縁部について折り返して固定した。次いで、この被覆カーペットを水蒸気滅菌し、そして乾燥した。試料は、更なる試験のために、パイルまたは裏地に関して残留静細菌活性がないと決定された。このカーペットを、板の上に載せた。
【０１８０】
希釈された標準化細菌貯蔵懸濁液を、カーペットの２×２正方形片に施用した。細菌貯蔵懸濁液は、スタヒロコッカス・アウレウス（Staphylococcus aureus）（黄色ブドウ菌）ＡＴＣＣ６５３８、エンテロバクター・エロゲネス（Enterobacter aerogenes）ＡＴＣＣ１３０４８またはシュードモナス・エルジノーサ（Pseudomonas aeruginosa）（緑濃菌）ＡＴＣＣ１５４４２を含んでいた。各正方形片を、リン酸塩緩衝剤希釈水中のｍｌ当たり１０×１０細菌の濃度を有する細菌懸濁液０．１ｍｌと共に定温放置した。定温放置されたカーペットを、ホイルラップを適所にゆるく置いて３５〜３７℃にて６０ｍｉｎ乾燥した。
【０１８１】
試験衛生化剤組成物および対照組成物を、選択された２×２カーペット正方形片に、吹き付けそして次いで適切な組成物中に漬けられたブラシでブラッシングすることにより均一に施用した。各組成物２０ｍＬを、カーペットの各２×２試料に施用した。組成物が施用されなかったカーペットの部分を、ホイルラッピングで保護した。添加された衛生化用組成物の量は、実際の現場カーペット衛生化中に施用される量に匹敵するように選ばれた。処理カーペットは、処理域の部分乾燥のために室温にて６０ｍｉｎそのままにした。
【０１８２】
６０ｍｉｎの乾燥に続いて、各２×２ｉｎ正方形片に、火炎殺菌されたピンセットおよびナイフでもって自由に切り傷をつけた。各正方形片を中和剤ブイヨンの別々の抽出ボトルに移し、そして次いでこのボトルを少なくとも１ｍｉｎ激しく振とうして、カーペット繊維から細菌を遊離させた。擦り洗いされた対照正方形片からの平均生菌数に対して各処理試験正方形片からの生存菌の数を比較することにより、衛生化用組成物に因る細菌の減少量を決定した。少なくとも３ｌｏｇの減少が、衛生化活性のために必要とされた。
【０１８３】
カーペットの染みの除去試験
カーペットにコーヒーまたはワインで、その物質２０ｍＬをカーペット上に注ぎそしてそれを２〜３日間乾燥および硬化させることにより、染みを着けた。染みが着けられたカーペットを本発明による組成物の０．５ｗｔ％水性希釈物およびまた２種の商業用カーペット用染み抜き剤（一つは酸性でそして一つは塩基性）で処理した。処理は、染みが着けられたカーペットを該組成物または染み抜き剤で濡らし、濡らされた域を揺動し、そしてペーパータオルで液体を吸い取り去ることを含んだ。処理された箇所を一晩風乾した後、それらを脱染みについて比較し、そして等級付けした。主として色変化であったところの染みの強さのわずかな変化を、１と等級付けした。色変化に加えて強さの中くらいの低減を、２と等級付けした。ほとんど全く染みが残存していない状態の染みのほぼ完全な除去を、３と等級付けした。
【０１８４】
結果
試験組成物は、カーペット用衛生化剤試験において、黄色ブドウ菌（S. aureus）、大腸菌（E. coli）および緑濃菌（Ps. aeruginosa）に対して細菌母集団の３ｌｏｇより大きい減少を引き起こした。本組成物は、効果のあるカーペット用衛生化剤を作る。
【０１８５】
試験組成物はまた、カーペットから染みを効果的に除去した。これらの結果は、下記の表４に示されている。
【０１８６】
表４−本発明による組成物によるカーペットの染みの除去
【表７】
2005511821.tif 000014
次のとおりに等級付けされた活性：１＝主として色変化であったところの染みの強さのわずかな変化のみ、２＝色変化に加えて強さの中くらいの低減、そして３＝ほとんど全く染みが残存していない状態の染みのほぼ完全な除去。
【０１８７】
実施例２−−本発明の方法および組成物を用いてのカーペット清浄の現場試験
ミネソタ州ブルーミントンのショッピングモールにおける会議室のカーペットを清浄にするために、本発明による固体（たとえば、粉末）または集塊のカーペット清浄用組成物を用いた。
【０１８８】
原料および方法
実施例１の組成物を用い、水中に１．０ｗｔ％にて溶解し、そして商業用のカーペット用吸引機で施用した。図５は、該吸引機および作業者を示す。
【０１８９】
比較の目的のために、商業用の液体のカーペット用清浄剤を、そのラベルに推奨されている使用濃度すなわち水中約０．４ｗｔ％の濃度にて用いた。商業用の液体のカーペット用清浄剤は、界面活性剤およびビルダーを含んでいたが、しかし活性酸素化合物を含んでいなかった。
【０１９０】
会議室のカーペットは、図１に示されているように、重度に染みおよび汚れがあった。前景におけるカーペット上の部分輪形は、５ガロン容器の底の大きさくらいであり、そして何らかの食品を含有するかかる容器の内容物により作られたように見える（図１）。
【０１９１】
結果
図１は清浄にする前のカーペットを示し、重度の染みおよび汚れについて注目すべきである。図２は、商業用洗剤で清浄にした後のカーペットを示す。この商業用で清浄にされたカーペットは、依然として数多くの染み、たとえば写真の中央に数個および上部中央近くの白のペーパータオル近くに１個の染みを示している。
【０１９２】
図３は、本発明の組成物および方法で清浄にされた後のカーペットを示す。カーペットは、写真の上部において毛羽を圧した足跡を示すのに十分なほど清浄である。本発明の方法および組成物により清浄にされたカーペットは、ほとんどまたは全く染みを示さない。
【０１９３】
図４は、本発明の方法および組成物と比べて、商業用洗剤の欠点を図示する。この図に示されたカーペットの大部分は、商業用洗剤で清浄にされた後において重度に汚れたままである。カーテンの下に示されたカーペットの小さい部分は、本発明の方法および組成物で清浄にされた。この小さい部分は、実質的な汚れおよび染みの除去に因り、はるかに軽度である。
【０１９４】
実施例３−−本発明の非ホスフェート組成物を用いてのカーペットの衛生化および清浄
本発明による固体（たとえば、粉末）または集塊のカーペット清浄用組成物を処方し、そしてカーペットの衛生化および染みの除去について試験した。
【０１９５】
原料および方法
粉末状の清浄・衛生化用組成物を、下記に示された成分を一緒にブレンドすることにより作製した。
【表８】
2005511821.tif 000015
【０１９６】
この組成物による染みの除去を、上記の実施例１において用いられた方法と同様な方法によりしかし追加の染み汚れとしてモーター油を用いて試験した。簡単に言うと、清浄用非ホスフェート組成物の１％溶液を、小さなハンドヘルド（「手持ち操作」）型カーペット用吸引機を用いて、白いカーペットからのコーヒー、ワインおよび汚れたモーター油の染みの除去について試験した。
【０１９７】
結果
染みの除去は、実施例１に記載されたホスフェート処方物に匹敵し得ると分かった。すなわち、各染みについて、この非ホスフェート組成物は、ほとんど全く染みが残存していない状態の染みのほぼ完全な除去を引き起こした。
【０１９８】
実施例４−−本発明の組成物による活性酸素化合物の安定化
本発明による固体（たとえば、粉末）または集塊のカーペット清浄用組成物を処方し、そして活性酸素化合物の安定化について試験した。
【０１９９】
原料および方法
粉末状の清浄・衛生化用組成物を、下記に示された成分を一緒にブレンドすることにより作製した。
【表９】
2005511821.tif 000016
【０２００】
この粉末組成物を水中に１ｗｔ％にて溶解し、そして引き続いて活性酸素化合物を過酸化物として決定した。過酸化物は、周知の手順に従って過マンガン酸カリウムでの滴定により決定された。
【０２０１】
結果
「固定」処方の液体組成物は、脱イオン水および水道水中１ｗｔ％の濃度にて作製され、そして室温にて貯蔵された。過酸化物のレベルが測定され、そして該液体組成物が作製された後８日間まで定常なままであった。
【０２０２】
「可変」処方の液体組成物は、１ｗｔ％の濃度にて作製され、そして１２０°Ｆ（４８．９℃）に７２時間まで加熱された。この試験の結果は、図６に示されている。この試験において、活性酸素化合物（過酸化物として測定された）は、５から９５ｗｔ％のアミノカルボキシレートおよび５から９５ｗｔ％のポリカルボン酸を含むビルダーでもって、１２０°Ｆ（４８．９℃）において２４時間安定であった。活性酸素化合物は、１０から９０ｗｔ％のアミノカルボキシレートおよび１０から９０ｗｔ％のポリカルボン酸を含むビルダーでもって、１２０°Ｆ（４８．９℃）において２４時間、より大きい安定性を、そして１０から６０ｗｔ％のアミノカルボキシレートおよび４０から９０ｗｔ％のポリカルボン酸を含むビルダーでもって、更に大きい安定性を示した。活性酸素化合物（過酸化物として測定された）は、１０から６０ｗｔ％のアミノカルボキシレートおよび４０から９０ｗｔ％のポリカルボン酸を含むビルダーでもって、１２０°Ｆ（４８．９℃）において７２時間安定であった。
【０２０３】
本明細書および添付の請求項において用いられる場合、単数形は、内容が明らかに違った具合に記述されていない限り、複数の指示物を含む、ということが留意されるべきである。かくして、たとえば、「化合物」を含有する組成物への言及は、２種またはそれ以上の化合物の混合物を含む。用語「もしくは」、「または」、「あるいは」は、一般に、内容が明らかに違った具合に記述されていない限り、「および／または」を含む意味で用いられている、ということも留意されるべきである。
【０２０４】
本明細書におけるすべての刊行物および特許出願は、本発明が属する技術における通常技術水準を示している。
【０２０５】
本発明は、様々な特定のおよび好ましい具体的態様および技法に関して記載されてきた。しかしながら、多くの変型および改変が、本発明の精神および範囲内にとどまりながら成され得る、ということが理解されるべきである。
【図面の簡単な説明】
【０２０６】
【図１】図１は、本発明の方法により本発明による組成物で清浄にする前のカーペットのデジタル写真である。
【図２】図２は、慣用の商業用カーペット清浄用洗剤で清浄にした後の図１のカーペットのデジタル写真である。
【図３】図３は、本発明の方法により本発明による組成物で清浄にした後の図１のカーペットのデジタル写真である。
【図４】図４は、一部が慣用の商業用カーペット清浄用洗剤で清浄にされそして別の一部が本発明の方法により本発明による組成物で清浄にされた後の図１のカーペットのデジタル写真である。
【図５】図５は、カーペットを清浄にするために用いられるようなカーペット用吸引機のデジタル写真である。
【図６】図６は、アミノカルボキシレートおよびポリカルボン酸ビルダーを含む液体組成物中の活性酸素化合物の安定性を図示する。
【図１】
2005511821.tif 000017
【図２】
2005511821.tif 000018
【図３】
2005511821.tif 000019
【図４】
2005511821.tif 000020
【図５】
2005511821.tif 000021
【図６】
2005511821.tif 000022
【手続補正書】
【提出日】平成15年12月18日(2003.12.18)
【手続補正１】
【補正対象書類名】特許請求の範囲
【補正対象項目名】全文
【補正方法】変更
【補正の内容】
【特許請求の範囲】
【請求項１】
カーペットまたは椅子張り類を清浄にする方法であって、
固体または集塊状の清浄用組成物を用意し、しかも該固体または集塊状の清浄用組成物は
約３０から約８０ｗｔ％の活性酸素化合物、
約１から約１５ｗｔ％の界面活性剤、および
約５から約６０ｗｔ％のビルダー
を含み、
該固体または集塊状の清浄用組成物を含む水性調製物を形成させ、そして
該水性調製物をカーペットまたは椅子張り類に施用する
ことを含み、しかも該ビルダーが、該水性調製物中の該活性酸素化合物を安定化するのに効果があるビルダーの混合物を含む方法。
【請求項２】
施用することが、カーペットまたは椅子張り類を吸引することを含む、請求項１に記載の方法。
【請求項３】
施用することが、清浄用組成物をカーペット上にブラッシングしてまたは擦って着けることを含む、請求項１に記載の方法。
【請求項４】
施用することが、カーペットまたは椅子張り類を予備染み抜きする、予備吹付けするもしくは吸引することまたはそれらの組合わせを含む、請求項１に記載の方法。
【請求項５】
清浄用組成物を、カーペットまたは椅子張り類の衛生化を達成するのに有効な濃度にてかつ継続時間施用することを含む、請求項１に記載の方法。
【請求項６】
カーペットから組成物の一部を除去することを更に含む、請求項１に記載の方法。
【請求項７】
方法が、カーペットまたは椅子張り類を予備染み抜きすることを省く、請求項１に記載の方法。
【請求項８】
方法が、カーペットまたは椅子張り類を予備吹付けすることを省く、請求項１に記載の方法。
【請求項９】
水性調製物が、約０．１から約１０ｗｔ％の、固体または集塊状の清浄用組成物および約７から約１１のｐＨを含む、請求項１に記載の方法。
【請求項１０】
水性調製物が、約９から約１０のｐＨを含む、請求項９に記載の方法。
【請求項１１】
水性調製物が、１０未満のｐＨを含む、請求項１０に記載の方法。
【請求項１２】
清浄用組成物が、
約５０から約６０ｗｔ％の活性酸素化合物、
約５から約１０ｗｔ％の界面活性剤、および
約２０から約２５ｗｔ％のビルダー
を含む、請求項１に記載の方法。
【請求項１３】
清浄用組成物が、約１５から約２０ｗｔ％のアルカリ度源を更に含む、請求項１２に記載の方法。
【請求項１４】
清浄用組成物が、
約５５ｗｔ％の活性酸素化合物、
約７ｗｔ％の界面活性剤、および
約２２ｗｔ％のビルダー
を含む、請求項１２に記載の方法。
【請求項１５】
清浄用組成物が、約１８ｗｔ％のアルカリ度源を更に含む、請求項１４に記載の方法。
【請求項１６】
ビルダーが、約５から約９５ｗｔ％のポリカルボン酸および約５から約９５ｗｔ％のアミノカルボキシレートを含む、請求項１に記載の方法。
【請求項１７】
ビルダーが、約４０から約９０ｗｔ％のポリカルボン酸および約１０から約４０ｗｔ％のアミノカルボキシレートを含む、請求項１６に記載の方法。
【請求項１８】
ビルダーが、約４０から約７０ｗｔ％のポリカルボン酸および約３０から約６０ｗｔ％のアミノカルボキシレートを含む、請求項１６に記載の方法。
【請求項１９】
ビルダーが、約６０ｗｔ％のポリカルボン酸および約４０ｗｔ％のアミノカルボキシレートを含む、請求項１８に記載の方法。
【請求項２０】
清浄用組成物が、活性酸素化合物として、無機活性酸素化合物、有機活性酸素化合物、またはそれらの混合物を含む、請求項１に記載の方法。
【請求項２１】
清浄用組成物が、界面活性剤として、非イオン性界面活性剤、両性界面活性剤、アニオン性界面活性剤、またはそれらの混合物を含む、請求項１に記載の方法。
【請求項２２】
清浄用組成物が、ビルダーとして、ホスホネート、ホスフェート、アミノカルボキシレート、ポリカルボキシレート、無機ビルダー、それらの塩、またはそれらの混合物を含む、請求項１に記載の方法。
【請求項２３】
ビルダーが、ニトリロトリ酢酸、エチレンジアミン四酢酸、それらの塩、またはそれらの混合物を含む、請求項２２に記載の方法。
【請求項２４】
ビルダーが、アミノカルボキシレートおよびモノマーポリカルボキシレートを含む、請求項２２に記載の方法。
【請求項２５】
固体または集塊状のカーペットまたは椅子張り類清浄用組成物であって、
約３０から約８０ｗｔ％の活性酸素化合物、
約１から約１５ｗｔ％の界面活性剤、および
約５から約６０ｗｔ％の、アミノカルボキシレートおよびポリカルボキシレートを含むビルダー
を含む組成物。
【請求項２６】
約５０から約６０ｗｔ％の活性酸素化合物、
約５から約１０ｗｔ％の界面活性剤、および
約２０から約２５ｗｔ％のビルダー
を含む、請求項２５に記載の組成物。
【請求項２７】
約１５から約２０ｗｔ％のアルカリ度源を更に含む、請求項２６に記載の組成物。
【請求項２８】
約５５ｗｔ％の活性酸素化合物、
約７ｗｔ％の界面活性剤、および
約５３ｗｔ％のビルダー
を含む、請求項２５に記載の組成物。
【請求項２９】
約１８ｗｔ％のアルカリ度源を更に含む、請求項２８に記載の組成物。
【請求項３０】
ビルダーが、約５から約９５ｗｔ％のポリカルボン酸および約５から約９５ｗｔ％のアミノカルボキシレートを含む、請求項２８に記載の組成物。
【請求項３１】
ビルダーが、約４０から約９０ｗｔ％のポリカルボン酸および約１０から約４０ｗｔ％のアミノカルボキシレートを含む、請求項３０に記載の組成物。
【請求項３２】
ビルダーが、約４０から約７０ｗｔ％のポリカルボン酸および約３０から約６０ｗｔ％のアミノカルボキシレートを含む、請求項３０に記載の組成物。
【請求項３３】
ビルダーが、約６０ｗｔ％のポリカルボン酸および約４０ｗｔ％のアミノカルボキシレートを含む、請求項３２に記載の組成物。
【請求項３４】
活性酸素化合物として、無機活性酸素化合物、有機活性酸素化合物、またはそれらの混合物を含む、請求項２５に記載の組成物。
【請求項３５】
活性酸素化合物が、無機活性酸素化合物を含む、請求項３４に記載の組成物。
【請求項３６】
無機活性酸素化合物が、過酸化水素付加物を含む、請求項３５に記載の組成物。
【請求項３７】
無機活性酸素化合物が、過炭酸塩、過ホウ酸塩、過硫酸塩、過リン酸塩、過ケイ酸塩、またはそれらの混合物を含む、請求項３５に記載の組成物。
【請求項３８】
活性酸素化合物が、有機活性酸素化合物を含む、請求項３４に記載の組成物。
【請求項３９】
界面活性剤として、非イオン性界面活性剤、両性界面活性剤、アニオン性界面活性剤、またはそれらの混合物を含む、請求項２５に記載の組成物。
【請求項４０】
非イオン性界面活性剤が、アルコールエトキシレート、アルコールプロポキシレート、アルコールエトキシレート−プロポキシレート、またはそれらの混合物を含む、請求項３９に記載の組成物。
【請求項４１】
非イオン性界面活性剤が、２０℃において固体、粉末またはペーストを含む、請求項４０に記載の組成物。
【請求項４２】
ビルダーが、アミノカルボキシレートおよびモノマーポリカルボキシレートを含む、請求項２５に記載の組成物。
【請求項４３】
アミノカルボキシレートおよびポリカルボキシレートが、液体組成物中の活性酸素化合物を安定化するのに効果がある、請求項４２に記載の組成物。
【請求項４４】
アミノカルボキシレートが、ＥＤＴＡを含む、請求項４２に記載の組成物。
【請求項４５】
ポリカルボキシレートが、クエン酸またはその塩を含む、請求項４２に記載の組成物。
【請求項４６】
ビルダーが、液体組成物中の活性酸素化合物を安定化するのに効果があるビルダーの混合物を含む、請求項２５に記載の組成物。
【請求項４７】
アルカリ度源、酸度源、清浄性酵素、硬化剤、溶解性調節剤、洗剤用充填剤、消泡剤、抗微生物剤、沈殿閾剤もしくは系、美的向上剤、起泡剤、活性酸素化合物用の活性剤、またはそれらの組合わせを更に含む、請求項２５に記載の組成物。
【請求項４８】
非イオン性界面活性剤、ホスホネート、縮合ホスフェート、過酸化水素付加物、Ｃ１〜Ｃ６カルボン酸、アルカリ金属水素炭酸塩、アルカリ金属水素リン酸塩、アルカリ金属水素硫酸塩、またはそれらの組合わせを含む、請求項４７に記載の組成物。
【請求項４９】
非イオン性界面活性剤、アミノカルボキシレート、過酸化水素付加物、Ｃ１〜Ｃ６カルボン酸、アルカリ金属水素炭酸塩、アルカリ金属水素リン酸塩、アルカリ金属水素硫酸塩、またはそれらの組合わせを含む、請求項４７に記載の組成物。
【請求項５０】
約４０から約７０ｗｔ％の活性酸素化合物、
約５から約１５ｗｔ％の界面活性剤、および
約１０から約４０ｗｔ％のビルダー
を含む、請求項２５に記載の組成物。
【国際調査報告】
2005511821.tif 000023
2005511821.tif 000024
2005511821.tif 000025
2005511821.tif 000026
2005511821.tif 000027